(57)【要約】イヤホンアダプタ６は、イヤホン３のイヤホン端子４が差し込まれる差込み口１２と、ＴＶ装置１のイヤホン差込み口２に差込み可能な端子１４とを有するイヤホンアダプタ本体７と、端子１４をＴＶ装置１のイヤホン差込み口２に差し込んだ状態で、イヤホンアダプタ本体７をＴＶ装置１に固定する固定機構８とを備えている。これにより、イヤホン端子４の抜けに伴うＴＶ装置１のスピーカからの突然の音声出力を防止することができる。【特許請求の範囲】
【請求項１】
イヤホンのイヤホン端子が差し込まれる差込み口と、音響機器のイヤホン差込み口に差込み可能な端子とを有するイヤホンアダプタ本体と、
前記端子を前記音響機器の前記イヤホン差込み口に差し込んだ状態で、前記イヤホンアダプタ本体を前記音響機器に固定する固定機構とを備えたイヤホンアダプタ。
【請求項２】
前記イヤホンアダプタ本体が、前記差込み口を支持する差込み口支持体と、前記端子を支持する端子支持体と、前記差込み口支持体と前記端子支持体とを接続する電気コードとを備え、
前記固定機構が、前記電気コードと前記音響機器とを連結する可撓性の連結部材からなる請求項１に記載のイヤホンアダプタ。
【請求項３】
前記連結部材がリング状の止め部を有する請求項２に記載のイヤホンアダプタ。
【請求項４】
前記連結部材が鉤部を有する請求項２に記載のイヤホンアダプタ。
【請求項５】
前記連結部材が、その途中に設けられた、前記連結部材を係止可能な係合部を有する請求項２に記載のイヤホンアダプタ。
【請求項６】
前記連結部材が、略球状の係止部材が多数連結された構造を有し、
前記係合部が、前記係止部材を貫通させる貫通孔と、前記貫通孔に連通して設けられた、前記係止部材の抜けを防止する抜け防止孔とを有する請求項５に記載のイヤホンアダプタ。
【請求項７】
前記イヤホンアダプタ本体が、前記差込み口と前記端子を一体的に支持する差込み口／端子支持体を備えた請求項１に記載のイヤホンアダプタ。
【請求項８】
前記差込み口と前記端子が、それらの中心軸をずらした状態で前記差込み口／端子支持体に支持されている請求項７に記載のイヤホンアダプタ。
【請求項９】
前記固定機構が、前記音響機器にねじ止め可能なねじ孔を有する請求項１に記載のイヤホンアダプタ。
【請求項１０】
前記固定機構が、前記音響機器に接着固定可能な接着層を有する請求項１に記載のイヤホンアダプタ。
【請求項１１】
前記固定機構が、前記イヤホンアダプタ本体の方向に付勢されるアームと、前記アームを支持する支持部とを有する請求項１に記載のイヤホンアダプタ。
【請求項１２】
前記アーム及び／又は支持部が長さ調節可能なスライド構造を有する請求項１１に記載のイヤホンアダプタ。
【請求項１３】
前記固定機構が、高さ調節可能なクランプ部と、前記クランプ部を支持する支持部とを有する請求項１に記載のイヤホンアダプタ。
【請求項１４】
前記クランプ部及び／又は支持部が長さ調節可能なスライド構造を有する請求項１３に記載のイヤホンアダプタ。
【請求項１５】
前記差込み口は、前記イヤホンアダプタ本体が前記音響機器に固定されたとき、前記音響機器の前記イヤホン差込み口の正面から見た２次元平面内で回転可能となるように設けられている請求項１に記載のイヤホンアダプタ。
【請求項１６】
前記差込み口は、前記イヤホンアダプタ本体が前記音響機器に固定されたとき、前記音響機器の前記イヤホン差込み口の正面から見た２次元平面に直交する面内で回転可能となるように設けられている請求項１に記載のイヤホンアダプタ。
【請求項１７】
前記イヤホンアダプタ本体は、前記固定機構に対し結合部を介して取り付け／取り外し可能に設けられている請求項１に記載のイヤホンアダプタ。
【請求項１８】
前記結合部は、前記イヤホンアダプタ本体に設けられた第１の結合部と、前記固定機構に設けられた第２の結合部とからなり、前記第１の結合部と前記第２の結合部とを互いに結合させることにより、前記イヤホンアダプタ本体が前記固定機構に取り付けられる請求項１７に記載のイヤホンアダプタ。
【発明の詳細な説明】
【技術分野】
【０００１】  本発明は、イヤホンアダプタに関し、さらに詳細には、イヤホンを、例えばテレビ（以下「ＴＶ」という）装置等の音響機器に取り付ける際に使用されるイヤホンアダプタに関する。
【背景技術】
【０００２】  ＴＶ番組を視聴する際、視聴者は、ＴＶ装置に備え付けのスピーカから音声を出力させるのが一般的である。しかし、ＴＶ装置のスピーカから音声を出力させることが適当でない場面も多い。【０００３】  一般家庭では、深夜又は早朝の時間帯にＴＶ装置のスピーカから音声を出力させると、近隣の家庭に迷惑をかけるのは当然である。また、ホテルや病院などにおいても、ＴＶ装置のスピーカから音声を出力させることが適当でない場合がある。【０００４】  このように、ＴＶ装置のスピーカから音声を出力させることが適当でない場合、視聴者は、ＴＶ装置のイヤホン差込み口（ジャック）にイヤホン端子（プラグ）を差し込み、イヤホンを経由してＴＶ番組の音声を楽しむことになる。ＴＶ装置のイヤホン差込み口にイヤホン端子を差し込むと、通常、ＴＶ装置のスピーカからの音声出力が停止するように構成されているので、近隣の住人や同室の入院患者に迷惑がかかることはない。【０００５】  しかし、通常、ＴＶ番組を視聴する場合の視聴位置はＴＶ装置の画面から数メートル離れた位置になるので、その間のイヤホンコードに人や物が引っ掛かったり、視聴者が体勢を変えたりした瞬間にイヤホン端子がＴＶ装置のイヤホン差込み口から抜けて、ＴＶ装置のスピーカから急に音声が発せられてしまう場合がある。イヤホンでＴＶ装置の音声を聴くのは、通常、ＴＶ装置のスピーカから音声を出力させることができない場面であり、ＴＶ装置のスピーカから突然音声が出力された場合には、近隣の住人や同室の入院患者を驚かせることになる。特に、病院の共同部屋で入院患者がＴＶ番組を視聴している場合、同室の入院患者に与える影響は甚大である。【０００６】  このような問題を解決するために、イヤホン端子がＴＶ装置のイヤホン差込み口から抜けたことを検知し、ＴＶ装置のスピーカからの音声出力を自動的に停止させる（零にセットする）回路をＴＶ装置に備え付ける技術が提案されている（例えば、特許文献１参照）。【０００７】  また、このようなＴＶ装置のスピーカからの音声漏れを防止するために、病院などで利用されるＴＶ装置においては、スピーカ線を切断することも行われている。【０００８】  尚、ヘッドホン用プラグ変換アダプタも種々提案されており、中でも、アダプタの重さによってヘッドホンが着用者の頭部からずれ落ちてしまうことを防止するために、携帯型テープレコーダ等の音声出力用差込み口に差込み可能なミニプラグと、前記ミニプラグに所定長さの電気コードを介して接続され、ヘッドホンの標準プラグが差し込まれる標準プラグ用ジャックと、前記標準プラグ用ジャックに設けられ、ヘッドホン着用者の衣服又はベルトに係止可能なクリップとを備えたヘッドホン用プラグ変換アダプタが提案されている（例えば、特許文献２参照）。
【特許文献１】実開平２−１３３９５号公報
【特許文献２】実公平１−１５０８９号公報
【発明の開示】
【発明が解決しようとする課題】
【０００９】  しかし、上記特許文献１等のようにＴＶ装置側の回路に新たな機能を付加することは、商品の高コスト化を招くだけでなく、ＴＶ装置以外の音響機器も含め、一般的に、イヤホン差込み口を有する音響機器のすべてにこれを搭載することは現実的でない。【００１０】  また、スピーカ線を切断したＴＶ装置は、商品価値が落ちてしまい、その後の転売等が不可能となってしまう。【００１１】  また、上記のような構成のヘッドホン用プラグ変換アダプタでは、ミニプラグが携帯型テープレコーダ等の音声出力用差込み口にそのまま差し込まれているだけであるため、ミニプラグと標準プラグ用ジャックとを接続する電気コードに何らかの外力が加わった場合には、ミニプラグが携帯型テープレコーダ等の音声出力用差込み口から抜けてしまい、携帯型テープレコーダ等に備え付けのスピーカから急に音声が発せられてしまうという問題を解決することはできない。【００１２】  本発明は、従来技術における前記課題を解決するためになされたものであり、ＴＶ装置等の音響機器側の回路に新たな機能を付加することなく、また、ＴＶ装置等の音響機器の商品価値を落とすことなく、イヤホン端子がＴＶ装置等のスピーカを有する音響機器のイヤホン差込み口から抜けたときに、スピーカから音声が突然出力されてしまうことを防止することのできるイヤホンアダプタを提供することを目的とする。
【課題を解決するための手段】
【００１３】  前記目的を達成するため、本発明に係るイヤホンアダプタの構成は、イヤホンのイヤホン端子が差し込まれる差込み口と、音響機器のイヤホン差込み口に差込み可能な端子とを有するイヤホンアダプタ本体と、前記端子を前記音響機器の前記イヤホン差込み口に差し込んだ状態で、前記イヤホンアダプタ本体を前記音響機器に固定する固定機構とを備えたことを特徴とする。【００１４】  このイヤホンアダプタの構成によれば、端子を音響機器のイヤホン差込み口に差し込んだ状態で、イヤホンアダプタ本体を音響機器に固定することができるので、イヤホンコードに人や物が引っ掛かったり、視聴者が体勢を変えたりするなど、何らかの原因でイヤホン端子が引っ張られても、イヤホン端子がイヤホンアダプタ本体の差込み口から抜け落ちるだけで、イヤホンアダプタ本体の端子が音響機器のイヤホン差込み口から抜けることはない。そして、このように、イヤホン端子がイヤホンアダプタ本体の差込み口から抜け落ちた場合でも、イヤホンアダプタ本体の端子が音響機器のイヤホン差込み口から抜けることはないので、依然として、音響機器のスピーカからの音声出力は停止したままとなる。従って、イヤホン端子の抜けに伴う音響機器のスピーカからの突然の音声出力を防止することができる。【００１５】  前記本発明のイヤホンアダプタの構成においては、前記イヤホンアダプタ本体が、前記差込み口を支持する差込み口支持体と、前記端子を支持する端子支持体と、前記差込み口支持体と前記端子支持体とを接続する電気コードとを備え、前記固定機構が、前記電気コードと前記音響機器とを連結する可撓性の連結部材からなるのが好ましい。この好ましい例によれば、差込み口支持体が電気コード及び連結部材を介して音響機器側に引っ張られた状態となるので、イヤホンコードに人や物が引っ掛かったり、視聴者が体勢を変えたりするなど、何らかの原因でイヤホン端子が引っ張られても、端子支持体に加わる力を小さく抑えることができる。このため、イヤホン端子がイヤホンアダプタ本体の端子差込み口から抜け落ちるだけで、イヤホンアダプタ本体の端子支持体の端子が音響機器のイヤホン差込み口から抜けることはないので、イヤホン端子の抜けに伴う音響機器のスピーカからの突然の音声出力を防止することができる。また、この場合には、前記連結部材がリング状の止め部を有するのが好ましい。この好ましい例によれば、連結部材を音響機器の背面に取り付けられている既存のねじを用いて音響機器にねじ止めすることができる。また、この場合には、前記連結部材が鉤部を有するのが好ましい。この好ましい例によれば、連結部材を音響機器の背面に設けられたスリットに引っ掛けて音響機器に固定することができる。また、この場合には、前記連結部材が、その途中に設けられた、前記連結部材を係止可能な係合部を有するのが好ましい。この好ましい例によれば、連結部材を、音響機器の背面に設けられたアンテナ端子等に引っ掛けた状態で、連結部材を係合部に係止することにより、音響機器に固定することができる。この場合にはさらに、前記連結部材が、略球状の係止部材が多数連結された構造を有し、前記係合部が、前記係止部材を貫通させる貫通孔と、前記貫通孔に連通して設けられた、前記係止部材の抜けを防止する抜け防止孔とを有するのが好ましい。【００１６】  また、前記本発明のイヤホンアダプタの構成においては、前記イヤホンアダプタ本体が、前記差込み口と前記端子を一体的に支持する差込み口／端子支持体を備えているのが好ましい。また、この場合には、前記差込み口と前記端子が、それらの中心軸をずらした状態で前記差込み口／端子支持体に支持されているのが好ましい。この好ましい例によれば、接着層を用いてイヤホンアダプタ本体を音響機器に接着固定する場合に、差込み口／端子支持体の端子側の端面における接着層の形成面積を広くすることができるので、差込み口／端子支持体と音響機器との接着強度を向上させることができる。また、差込み口／端子支持体内の、差込み口の先端部と端子の基端部を、差込み口／端子支持体の長手方向で重ねることができるので、差込み口／端子支持体の長手方向の長さを短くすることが可能となる。【００１７】  また、前記本発明のイヤホンアダプタの構成においては、前記固定機構が、前記音響機器にねじ止め可能なねじ孔を有しているのが好ましい。また、前記本発明のイヤホンアダプタの構成においては、前記固定機構が、前記音響機器に接着固定可能な接着層を有しているのが好ましい。これらの好ましい例によれば、イヤホンアダプタ本体を音響機器に確実に固定することができる。【００１８】  また、前記本発明のイヤホンアダプタの構成においては、前記固定機構が、前記イヤホンアダプタ本体の方向に付勢されるアームと、前記アームを支持する支持部とを有しているのが好ましい。この好ましい例によれば、イヤホンアダプタ本体の音響機器への着脱が容易となる。また、この場合には、前記アーム及び／又は支持部が長さ調節可能なスライド構造を有しているのが好ましい。この好ましい例によれば、当該イヤホンアダプタを、様々な大きさの音響機器に対応させることが可能となる。また、イヤホンアダプタの収納時に、コンパクトな収納を実現することもできる。【００１９】  また、前記本発明のイヤホンアダプタの構成においては、前記固定機構が、高さ調節可能なクランプ部と、前記クランプ部を支持する支持部とを有しているのが好ましい。この好ましい例によれば、イヤホンアダプタ本体の音響機器への着脱が容易となる。また、この場合には、前記クランプ部及び／又は支持部が長さ調節可能なスライド構造を有しているのが好ましい。この好ましい例によれば、当該イヤホンアダプタを、様々な大きさの音響機器に対応させることが可能となる。また、イヤホンアダプタの収納時に、コンパクトな収納を実現することもできる。【００２０】  また、前記本発明のイヤホンアダプタの構成において、前記差込み口は、前記イヤホンアダプタ本体が前記音響機器に固定されたときに、前記音響機器の前記イヤホン差込み口の正面から見た２次元平面内で回転可能となるように設けられているのが好ましい。この好ましい例によれば、イヤホン端子が差し込まれる差込み口を、イヤホンの使用者（視聴者）の体勢変化に柔軟に追随させることができ、イヤホンの使用者に快適な付け心地を提供することが可能となる。また、イヤホン端子の抜け防止をも実現することが可能となる。��００２１】  また、前記本発明のイヤホンアダプタの構成において、前記差込み口は、前記イヤホンアダプタ本体が前記音響機器に固定されたときに、前記音響機器の前記イヤホン差込み口の正面から見た２次元平面に直交する面内で回転可能となるように設けられているのが好ましい。この好ましい例によれば、イヤホン端子が差し込まれる差込み口を、イヤホンの使用者（視聴者）の体勢変化に柔軟に追随させることができ、イヤホンの使用者に快適な付け心地を提供することが可能となる。【００２２】  また、前記本発明のイヤホンアダプタの構成において、前記イヤホンアダプタ本体は、前記固定機構に対し結合部を介して取り付け／取り外し可能に設けられているのが好ましい。この好ましい例によれば、以下のような効果が得られる。すなわち、普段は、イヤホンアダプタ本体を固定機構から取り外しておくことにより、音響機器のスピーカから音声を出力させることができる。一方、深夜又は早朝の時間帯など、音響機器のスピーカからの音声出力を止めたい場合には、イヤホンアダプタ本体を、音響機器に固定されている固定機構に取り付けた後、イヤホンアダプタ本体の差込み口にイヤホンのイヤホン端子を差し込み、イヤホンを経由してＴＶ番組等の音声を聴くことができる。また、この場合には、前記結合部は、前記イヤホンアダプタ本体に設けられた第１の結合部と、前記固定機構に設けられた第２の結合部とからなり、前記第１の結合部と前記第２の結合部とを互いに結合させることにより、前記イヤホンアダプタ本体が前記固定機構に取り付けられるのが好ましい。【００２３】  本発明のイヤホンアダプタは、イヤホン差込み口とイヤホン端子が１つずつ備わっている場合に上記効果をより効果的に発揮することができる。音声信号以外の操作信号等を伝達する差込み口が別にイヤホン差込み口の近隣に並設され、これらがまとめて１本のイヤホンコードに接続されている場合には、音響機器が単独のイヤホン差込み口のみを有する場合に比してイヤホン端子が抜けにくいからである。
【発明の効果】
【００２４】  本発明によれば、音響機器側の回路に新たな機能を付加することなく、また、音響機器の商品価値を落とすことなく、イヤホン端子がスピーカを有する音響機器のイヤホン差込み口から抜けたときに、スピーカから音声が突然出力されてしまうことを防止することができる。
【図面の簡単な説明】
【００２５】
【図１】本発明の第１の実施の形態におけるイヤホンアダプタの一例（固定機構がねじ止め）とイヤホン及びＴＶ装置との関係を示す側面図
【図２】本発明の第１の実施の形態におけるイヤホンアダプタの他の例（固定機構が接着固定）とイヤホン及びＴＶ装置との関係を示す側面図
【図３】本発明の第１の実施の形態におけるイヤホンアダプタのさらに他の例（固定機構がゼンマイばねによるアームの付勢力）とイヤホン及びＴＶ装置との関係を示す側面図
【図４】本発明の第１の実施の形態におけるイヤホンアダプタのさらに他の例（固定機構がコイルばねによるアームの付勢力）とイヤホン及びＴＶ装置との関係を示す側面図
【図５】本発明の第１の実施の形態におけるイヤホンアダプタのさらに他の例（固定機構が洗濯バサミ構造によるアームの付勢力）とイヤホン及びＴＶ装置との関係を示す側面図
【図６】本発明の第１の実施の形態におけるイヤホンアダプタのさらに他の例（固定機構がクランプ機構）とイヤホン及びＴＶ装置との関係を示す側面図
【図７Ａ】本発明の第２の実施の形態におけるイヤホンアダプタの一例とＴＶ装置との関係を示す側面図
【図７Ｂ】本発明の第２の実施の形態におけるイヤホンアダプタ本体をＴＶ装置に固定した状態を示す正面図
【図８Ａ】本発明の第３の実施の形態におけるイヤホンアダプタの一例とＴＶ装置との関係を示す側面図
【図８Ｂ】本発明の第３の実施の形態におけるイヤホンアダプタの固定機構のアームを省いた構成を示す正面図
【図９Ａ】本発明の第３の実施の形態におけるイヤホンアダプタの他の例とＴＶ装置との関係を示す側面図
【図９Ｂ】本発明の第３の実施の形態におけるイヤホンアダプタのさらに他の例とＴＶ装置との関係を示す側面図
【図１０】本発明の第４の実施の形態におけるイヤホンアダプタの一例とＴＶ装置との関係を示す側面図
【図１１】本発明の第４の実施の形態のイヤホンアダプタ本体が固定されるＴＶ装置の概略背面図
【図１２】本発明の第４の実施の形態におけるイヤホンアダプタの他の例を示す側面図
【図１３】本発明の第４の実施の形態におけるイヤホンアダプタのさらに他の例を示す側面図
【図１４】本発明の第５の実施の形態におけるイヤホンアダプタの一例とＴＶ装置との関係を示す側面図
【図１５】本発明の第６の実施の形態におけるイヤホンアダプタの一例とイヤホン及びＴＶ装置との関係を示す側面図
【図１６】本発明の第６の実施の形態におけるイヤホンアダプタ本体と固定機構との関係を示す図
【図１７】本発明の第６の実施の形態におけるイヤホンアダプタの他の例とＴＶ装置との関係を示す側面図
【発明を実施するための最良の形態】
【００２６】  以下、実施の形態を用いて本発明をさらに具体的に説明する。【００２７】  ［第１の実施の形態］
図１は本発明の第１の実施の形態におけるイヤホンアダプタの一例とイヤホン及びＴＶ装置との関係を示す側面図である。【００２８】  図１において、１はテレビ装置であり、２はＴＶ装置１に設けられたイヤホン差込み口である。３はイヤホンであり、４はイヤホン３に設けられたイヤホン端子である。イヤホン３とイヤホン端子４とは、イヤホンコード５を介して接続されている。【００２９】  図１に示すように、本実施の形態におけるイヤホンアダプタ６は、イヤホンアダプタ本体７と、イヤホンアダプタ本体７をＴＶ装置１に固定する固定機構８とを備えている。固定機構８は、ねじ孔９が穿設された支持基板１０と、支持基板１０をＴＶ装置１に固定するねじ１１とにより構成されている。イヤホンアダプタ本体７は、イヤホン３のイヤホン端子４が差し込まれる差込み口１２と、ＴＶ装置１のイヤホン差込み口２に差込み可能な端子１４と、差込み口１２と端子１４を一体的に支持する差込み口／端子支持体１３とにより構成されており、当該イヤホンアダプタ本体７は、端子１４を支持基板１０の裏側（ＴＶ装置１側）の面から突出させた状態で支持基板１０に取り付けられている。そして、端子１４をＴＶ装置１のイヤホン差込み口２に差し込んだ状態で、支持基板１０をＴＶ装置１にねじ止めすることにより、イヤホンアダプタ本体７がＴＶ装置１に固定される。【００３０】  また、本実施の形態のイヤホンアダプタ６において、差込み口／端子支持体１３は、支持基板１０の表側の面に垂直に設けられた第１の支持体１３ａと、第１の支持体１３ａに回転軸１５によって回転可能に連結された、差込み口１２を有する第２の支持体１３ｂとにより構成されている。すなわち、イヤホン３のイヤホン端子４が差し込まれる差込み口１２を有する第２の支持体１３ｂは、イヤホンアダプタ６の側面から見て、２次元平面内で１８０度の範囲で回転できるように構成されている（図１の矢印１６参照）。尚、この場合、差込み口１２と端子１４とは、フレキシブル配線を介して電気的に接続されている。【００３１】  以上のように、本実施の形態のイヤホンアダプタ６の構成によれば、端子１４をＴＶ装置１のイヤホン差込み口２に差し込んだ状態で、イヤホンアダプタ本体７をＴＶ装置１に固定することができるので、イヤホンコード５に人や物が引っ掛かったり、視聴者が体勢を変えたりするなど、何らかの原因でイヤホン端子４が引っ張られても、イヤホン端子４がイヤホンアダプタ本体７の差込み口１２から抜け落ちるだけで、イヤホンアダプタ本体７の端子１４がＴＶ装置１のイヤホン差込み口２から抜けることはない。そして、このように、イヤホン端子４がイヤホンアダプタ本体７の差込み口１２から抜け落ちた場合でも、イヤホンアダプタ本体７の端子１４がＴＶ装置１のイヤホン差込み口２から抜けることはないので、依然として、ＴＶ装置１が備える図示しないスピーカからの音声出力は止まったままとなる。従って、イヤホン端子４の抜けに伴うＴＶ装置１のスピーカからの突然の音声出力を防止することができるので、視聴者は安心して深夜番組を楽しむことができるようになる。また、共同部屋の入院患者は、突然の音声漏れを警戒することなく、他の患者に迷惑を掛けずにＴＶ番組���楽しむことができるようになる。【００３２】  また、本実施の形態のイヤホンアダプタ６においては、イヤホンアダプタ６側の単独の構成により、イヤホンアダプタ本体７のＴＶ装置１への固定が実現される。従って、ＴＶ装置１側に何らかの突起等、引っ掛ける対象がなくても、ＴＶ装置１にイヤホンアダプタ本体７を固定することができる。すなわち、本実施の形態によれば、汎用性の高いイヤホンアダプタを提供することが可能となる。【００３３】  また、本実施の形態のイヤホンアダプタ６の構成によれば、イヤホン端子４を抜けやすい状態（イヤホンアダプタ本体７の差込み口１２が、ＴＶ装置１のイヤホン差込み口２と同じ方向を向いている状態）にしたまま、ＴＶ装置１のスピーカからの音声漏れを防止することが可能となるため、イヤホンコード５に人の足が引っ掛かった場合でも、すぐにイヤホン端子４が抜け落ち、人の転倒事故を防止することもできる。【００３４】  さらに、本実施の形態のイヤホンアダプタ６の構成によれば、ＴＶ装置１のイヤホン差込み口２の保護も可能となる。すなわち、イヤホン端子４をＴＶ装置１のイヤホン差込み口２に直接差し込んでいたとして、イヤホンコード５に人が引っ掛かったり、イヤホン３の使用者（視聴者）が視聴体勢を変えたりするなど、何らかの原因でＴＶ装置１のイヤホン差込み口２の正面から見て前後方向以外の方向からイヤホン端子４に力がかかった場合には、イヤホン端子４が曲がったり、ＴＶ装置１のイヤホン差込み口２に傷が入ったりして、イヤホン３やＴＶ装置１が故障することがあった。しかし、本実施の形態のイヤホンアダプタ６を用いれば、イヤホン３やイヤホンアダプタ６が故障するだけで、ＴＶ装置１が故障する可能性はかなり低くなる。イヤホン３やイヤホンアダプタ６とＴＶ装置１の価格差を考えれば、ＴＶ装置１の故障が少なくなることによるメリットは非常に大きい。【００３５】  また、本実施の形態のイヤホンアダプタ６の構成によれば、差込み口／端子支持体１３が、支持基板１０の表側の面に垂直に設けられた第１の支持体１３ａと、第１の支持体１３ａに回転軸１５によって回転可能に連結された、差込み口１２を有する第２の支持体１３ｂとにより構成されているので、イヤホン端子４が差し込まれる差込み口１２を、イヤホン３の使用者（視聴者）の体勢変化に柔軟に追随させることができ、イヤホン３の使用者に快適な付け心地を提供することが可能となる。【００３６】  尚、本実施の形態においては、固定機構として、ねじ孔９が穿設された支持基板１０と、支持基板１０をＴＶ装置１に固定するねじ１１とにより構成された固定機構８を例に挙げて説明したが、固定機構はかかる構成のものに限定されるものではなく、イヤホンアダプタ本体７の端子１４をＴＶ装置１のイヤホン差込み口２に差し込んだ状態で、イヤホンアダプタ本体７をＴＶ装置１に固定できるものであればよい。【００３７】  例えば、図２に示すように、支持基板１０と、支持基板１０の裏側（ＴＶ装置１側）の面に貼り付けられた、支持基板１０をＴＶ装置１に接着固定可能な両面テープ１７とにより固定機構１８を構成し、両面テープ１７の粘着力を利用して、イヤホンアダプタ本体７をＴＶ装置１に固定するようにして���よい。このような構成の固定機構１８を用いれば、上述のねじ１１を利用する場合に比べて、ねじ穴が開いてしまう等のＴＶ装置１に与える影響を最小限に留めることができる。また、イヤホンアダプタ本体７の着脱も容易となる。従って、ＴＶ装置１の転売等に支障を来たすことはない。この場合、支持基板１０とＴＶ装置１との固定が可能であれば、両面テープに限らず、単に接着剤を用いてもよいし、面ファスナなどを用いることも可能である。【００３８】  また、図３に示すように、先端部分がイヤホンアダプタ本体７の方向に付勢されるアーム１９と、イヤホンアダプタ本体７が取り付けられると共に、アーム１９の基端部が回動自在に連結される支持部としての支持基板２０とにより固定機構２１を構成し、アーム１９の先端部分の付勢力を利用して、イヤホンアダプタ本体７をＴＶ装置２３に固定するようにしてもよい。詳細は図示していないが、アーム１９の先端部分のイヤホンアダプタ本体７の方向への付勢は、例えば、支持基板２０とアーム１９とを連結する回転軸２２にゼンマイばねを組み込むことによって実現することができる。また、図４に示すように、支持基板２０とアーム１９との間にコイルばね２５を介在させることによっても、アーム１９の先端部分のイヤホンアダプタ本体７の方向への付勢を実現することができる。さらに、図５に示すように、支持基板２０及びアーム１９の基端を、回転軸２２に対してアーム１９の先端部分と反対側にも延長し、この部分を把手部２６とすることもできる。把手部２６においては、アーム１９と支持基板２０との間にコイルばね２７が介在され、両者は離反する方向へと付勢される。そして、これにより、アーム１９の先端部分のイヤホンアダプタ本体７の方向への付勢が実現される。このように、固定機構をいわば洗濯バサミのような構造とすることにより、イヤホンアダプタ本体７のＴＶ装置２３への着脱が容易となる。以上のような構造の固定機構においては、支持基板２０やアーム１９とＴＶ装置２３とが接触する部分に弾力材を用いるのが望ましい。これにより、ＴＶ装置２３に傷が付くことを防止することができる。また、弾力材とＴＶ装置２３の筐体との間の滑り止め効果により、イヤホンアダプタ本体７がＴＶ装置２３に固定された状態からずれることを防止することもできる。尚、図３〜図５中、２４はＴＶ装置２３に設けられたイヤホン差込み口である。【００３９】  また、図６に示すように、高さ調節可能なクランプ部２９と、イヤホンアダプタ本体７が取り付けられると共に、クランプ部２９が支持される支持部としての支持基板３０とにより固定機構２８を構成するようにしてもよい（クランプ機構）。クランプ部２９は、一端が支持基板３０に支持されると共に、ねじ溝３２が刻まれたシャフト３１と、シャフト３１のねじ溝３２に螺合する雌ねじが切られたナット３３と、支持基板３０とナット３３との間に位置した状態でシャフト３１に挿通された押圧体３４とにより構成されている。この場合、押圧体３４は、ナット３３を回転させることによって支持基板３０の方向に移動させることができる。そして、端子１４をＴＶ装置２３のイヤホン差込み口２４に差し込んだ状態で、ナット３３を回転させて押圧体３４をＴＶ装置２３の背面に押圧することにより、イヤホンアダプタ本体７がＴＶ装置２３に固定される。このように、固定機構としてクランプ部２９を有する固定機構２８用いることにより、イヤホンアダプタ本体７のＴＶ装置２３への着脱が容易となる。この場合、支持基板３０や押圧体３４とＴＶ装置２３とが接触する部分に弾力材を用いるのが望ましい。これにより、ＴＶ装置２３に傷が付くことを防止することができる。また、弾力材とＴＶ装置２３の筐体との間の滑り止め効果により、イヤホンアダプタ本体７がＴＶ装置２３に固定された状態からずれることを防止することもできる。【００４０】  以上のように、固定機構を、洗濯バサミのような形状やクランプ形状とした場合には、特に薄型ＴＶ装置に対して本発明のイヤホンアダプタを使用することが可能となる。従来の陰極線管ＴＶ装置であっても、何らかの突起があれば、そこにアーム１９やクランプ部２９の押圧体３４を引っ掛けて、イヤホンアダプタ本体７を固定することは可能であるが、近年流行の薄型ＴＶ装置（ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ  Ｌｕｍｉｎｅｓｃｅｎｃｅ）、ＦＥＤ（Ｆｉｅｌｄ  Ｅｍｉｓｓｉｏｎ  Ｄｉｓｐｌａｙ）など）であれば、ＴＶ装置自体にアーム１９やクランプ部２９の押圧体３４を引っ掛けることが可能であるため、イヤホンアダプタ本体７をより確実に固定することができる。【００４１】  イヤホンアダプタ本体７のＴＶ装置２３への取り付けに際しては、ＴＶ装置２３の上下左右いずれかの方向からアーム１９やクランプ部２９の押圧体３４をＴＶ装置２３の背面側に回して、引っ掛けるようにすればよい。ＴＶ装置２３におけるイヤホン差込み口２４の位置はメーカによって様々であるため、支持基板２０、３０やアーム１９及びクランプ部２９の長さは、多少余裕を持った長さにしておくのが望ましい。【００４２】  例えば、支持基板２０、３０の長さは、イヤホン差込み口２４が一般的にＴＶ装置２３の端に近い部分に備わっていることを考慮して決定することができる。また、一般に、薄型ＴＶ装置の奥行きは１０ｃｍ前後から３０ｃｍ前後のものが多いので、アーム１９が開ききった状態で、アーム１９の先端部分と支持基板２０との間の距離が３０ｃｍ程度となるように、固定機構２１を構成すればよい。また、クランプ部２９を有する固定機構２８の場合には、支持基板３０と押圧体３４との間の距離が３０ｃｍ程度となるように構成すればよい。もっとも、近年のＴＶ装置の薄型化を考えれば、奥行きが１０ｃｍ程度のものが多くなると予想されるので、これらの距離を１０ｃｍ程度にしておくことも可能である。【００４３】  その他、図示はしていないが、固定機構を、樹脂等の弾性を有する素材を用いて略Π字形状のものとして構成し、これにより、固定機構を、イヤホンアダプタ本体の方向に付勢させることも可能である。この場合、アームを回動自在に支持する回転軸やクランプ部といった部品を使用する必要がないため、固定機構の構成を単純化することができる。そして、これにより、イヤホンアダプタの製造原価の低減と製造工程の簡略化を図ることが可能となる。【００４４】  また、固定機構を、イヤホンアダプタ本体の方向に付勢させる構成とせず、ＴＶ装置のイヤホン差込み口の正面から見て前後方向に一定の長さを有するものとして構成し、単にＴＶ装置をこの固定機構の上に載せるようにしてもよい。この構成によれば、ＴＶ装置の自重により、イヤホンアダプタ本体をＴＶ装置に固定することができる。そして、このような非常に簡単な構成でイヤホンアダプタを実現することにより、汎用性のより高いイヤホンアダプタを提供することが可能となる。【００４５】  また、本実施の形態のイヤホンアダプタ本体７においては、差込み口／端子支持体１３が、支持基板１０（あるいは２０又は３０）の表側の面に垂直に設けられた第１の支持体１３ａと、第１の支持体１３ａに回転軸１５によって回転可能に連結された、差込み口１２を有する第２の支持体１３ｂとにより構成され、第２の支持体１３ｂが、イヤホンアダプタ６の側面から見て、２次元平面内で回転できるように構成されているが、例えば、ピボット軸受けを用いて、第２の支持体を第１の支持体に対して自由に回転できるように構成してもよい。この構成によれば、イヤホン端子４が差し込まれる端子差込み口を、イヤホン３の使用者（視聴者）の体勢変化にさらに柔軟に追随させることができ、イヤホン３の使用者により快適な付け心地を提供することが可能となる。【００４６】  ［第２の実施の形態］
図７Ａは本発明の第２の実施の形態におけるイヤホンアダプタの一例とＴＶ装置との関係を示す側面図、図７Ｂは本実施の形態におけるイヤホンアダプタ本体をＴＶ装置に固定した状態を示す正面図である。【００４７】  図７Ａに示すように、本実施の形態におけるイヤホンアダプタ３５は、イヤホンアダプタ本体３６と、イヤホンアダプタ本体３６をＴＶ装置３７に固定する固定機構３８とを備えている。固定機構３８は、先端部分がイヤホンアダプタ本体３６の方向に付勢されるアーム３９と、イヤホンアダプタ本体３６が取り付けられると共に、アーム３９の基端部が回動自在に連結される支持部としての支持基板４０とにより構成され、アーム３９の先端部分の付勢力を利用して、イヤホンアダプタ本体３６をＴＶ装置３７に固定するようにされている。アーム３９の先端部分のイヤホンアダプタ本体３６の方向への付勢は、支持基板４０とアーム３９との間に介在されたコイルばね４１によって実現されている。イヤホンアダプタ本体３６は、支持基板４０の表側の面に回転部４２を介して設けられた、イヤホン端子４（図１参照）が差し込まれる差込み口４３を支持する差込み口支持体４４と、支持基板４０の裏側（ＴＶ装置３７側）の面に設けられた、ＴＶ装置３７のイヤホン差込み口４５に差込み可能な端子４６とにより構成されている。詳細は図示していないが、回転部４２は、雄側を構成する回転軸と雌側を構成する回転体とが回転可能に一定のクリアランスを確保した状態で嵌合されて構成されている。尚、差込み口支持体４４の回転動作の円滑を確保するために、回転部４２に軸受けを組み込むことも可能である。この構成により、差込み口支持体４４は、ＴＶ装置３７のイヤホン差込み口４５の正面から見て、２次元平面内で回転可能となる（図７Ｂの矢印４６の方向）。【００４８】  このように、イヤホンアダプタ３５に回転部４２を設けて差込み口支持体４４を回転可能に構成したので、イヤホン端子４が差し込まれる差込み口４３を、イヤホン３（図１参照）の使用者（視聴者）の体勢変化に柔軟に追随させることができ、イヤホン３の使用者に快適な付け心地を提供することが可能となる。【００４９】  尚、本実施の形態のイヤホンアダプタ３５においては、上記第１の実施の形態のイヤホンアダプタとは異なり、図１等の回転軸１５に相当する構成を備えていない。従って、イヤホン端子４が差し込まれる差込み口４３は、ＴＶ装置３７のイヤホン差込み口４５の正面から見た２次元平面に直交する面内では回転することができない。このため、イヤホン端子４が差し込まれる差込み口４３の、イヤホン３の使用者（視聴者）の体勢変化への追随を確保しつつ、イヤホン端子４の抜け防止をも実現することが可能となる。【００５０】  ［第３の実施の形態］
図８Ａは本発明の第３の実施の形態におけるイヤホンアダプタの一例とＴＶ装置との関係を示す側面図、図８Ｂは本実施の形態におけるイヤホンアダプタの固定機構のアームを省いた構成を示す正面図である。尚、上記第２の実施の形態のイヤホンアダプタの構成部材と同じ構成部材には同一の符号を付し、その詳細な説明は省略する。【００５１】  図８Ａにおいて、４７はイヤホンアダプタ本体３６が取り付けられる支持基板である。図８Ａ、図８Ｂに示すように、支持基板４７にはスライド体４８がスライド可能に取り付けられており、スライド体４８にはアーム４９の基端部が回動自在に連結されている。スライド体４８とアーム４９との間にはコイルばね５０が介在されており、これによりアーム４９の先端部分がイヤホンアダプタ本体３６の方向に付勢されている。支持基板４７には、長孔からなるスライドレール４７ａが設けられている。また、スライド体４８にも、長孔からなるスライドレール４８ａが設けられている。そして、スライドレール４７ａとスライドレール４８ａとを一部重ねた状態で、両スライドレール４７ａ、４８ａにボルト５１を挿通してナット５２で締結することにより、スライド体４８が、支持基板４７に対してスライド可能に取り付けられる。【００５２】  支持基板４７に沿ってスライド体４８をスライドさせる場合には、一旦ナット５２を緩め、希望の長さとなるまでスライド体４８をスライドさせた後、再度ナット５２を締結してスライド体４８を固定する。これにより、上記第１の実施の形態で説明したように支持基板の長さを一定以上にしておかなくても、様々な大きさのＴＶ装置に対応させることが可能となる。また、イヤホンアダプタの収納時には、コンパクトな収納を実現することもできる。【００５３】  尚、本実施の形態のイヤホンアダプタにおいては、支持基板のみを長さ調節可能なスライド構造としているが、アームや、上記第１の実施の形態で説明したクランプ部についても長さ調節可能なスライド構造とすることができる。例えば、図９Ａに示すイヤホンアダプタにおいては、さらに、スライド体４８にスライド体５４の基端部が回動自在に連結されており、スライド体５４にはアーム４９がスライド可能に取り付けられている。また、図９Ｂに示すイヤホンアダプタにおいては、クランプ部２９のシャフト３１がスライド体５３を介して支持基板３０に支持されている。図９Ａのアーム４９を伸縮させるスライド構造、及び図９Ｂのクランプ部２９を伸縮させるスライド構造は、上記と同様の構成であるため、さらなる説明は省略する。【００５４】  ［第４の実施の形態］
図１０は本発明の第４の実施の形態におけるイヤホンアダプタの一例とＴＶ装置との関係を示す側面図、図１１は本実施の形態のイヤホンアダプタ本体が固定されるＴＶ装置の概略背面図である。【００５５】  図１０に示すように、本実施の形態におけるイヤホンアダプタ５４は、イヤホンアダプタ本体５５と、イヤホンアダプタ本体５５をＴＶ装置５６に固定する固定機構５７とを備えている。イヤホンアダプタ本体５５は、イヤホン端子が差し込まれる差込み口６１を支持する差込み口支持体６２と、ＴＶ装置５６のイヤホン差込み口５８に差込み可能な端子５９を支持する端子支持体６０と、差込み口支持体６２と端子支持体６０とを接続する電気コード６３とにより構成されている。また、固定機構５７は、一端がイヤホンアダプタ本体５５の電気コード６３に固定され、他端にリング状の止め部６４が設けられた、連結部材としての可撓性のベルト６５により構成されている。そして、端子５９をＴＶ装置５６のイヤホン差込み口５８に差し込んだ状態で、ベルト６５の他端の止め部６４を、ＴＶ装置５６の背面に取り付けられている既存のねじ６７（図１１参照）を用いてＴＶ装置５６にねじ止めすることにより、イヤホンアダプタ本体５５がＴＶ装置５６に固定される。この場合、ベルト６５の長さは、当該ベルト６５の止め部６４をねじ止めした場合に弛みのない状態となるように設定される。尚、ベルト６５を、例えば、ロック機構を有するアジャスタを用いた伸縮可能な構成にすれば、ねじ６７の位置が多少ずれていても容易に対応させることが可能となる。また、液晶ＴＶ装置にスタンド用アームを取り付けるベサ（ＶＥＳＡ）規格対応のねじ１００を用いてベルト６５の他端の止め部６４をＴＶ装置５６にねじ止めすることもできる。【００５６】  本実施の形態のイヤホンアダプタ５４の構成によれば、ＴＶ装置５６のイヤホン差込み口５８に差込み可能な端子５９を支持する端子支持体６０と、イヤホン端子が差し込まれる差込み口６１を支持する差込み口支持体６２とを接続する電気コード６３に固定されたベルト６５の他端をＴＶ装置５６に固定することにより、イヤホンアダプタ本体５５をＴＶ装置５６に固定するようにしたので、以下のような効果が得られる。すなわち、差込み口支持体６２が電気コード６３及びベルト６５を介してＴＶ装置５６側に引っ張られた状態となるので、イヤホンコードに人や物が引っ掛かったり、視聴者が体勢を変えたりするなど、何らかの原因でイヤホン端子が引っ張られても、端子支持体６０に加わる力を小さく抑えることができる。このため、イヤホン端子がイヤホンアダプタ本体５５の端子差込み口６１から抜け落ちるだけで、イヤホンアダプタ本体５５の端子支持体６０の端子５９がＴＶ装置５６のイヤホン差込み口５８から抜けることはないので、イヤホン端子の抜けに伴うＴＶ装置５６のスピーカからの突然の音声出力を防止することができる。【００５７】  尚、本実施の形態においては、固定機構として、一端がイヤホンアダプタ本体５５の電気コード６３に固定され、他端にリング状の止め部６４が設けられたベルト６５により構成された固定機構５７を例に挙げて説明したが、例えば、図１２に示すような、他端に鉤部６８が設けられたベルト６９を用い、鉤部６８を、ＴＶ装置５６の背面に設けられたスリット７０（図１１参照）に引っ掛けることにより、イヤホンアダプタ本体５５をＴＶ装置５６に固定するようにしてもよい。また、例えば、図１３に示すような構成を採ることもできる。すなわち、固定機構を、一端がイヤホンアダプタ本体５５の電気コード６３に固定され、その途中に係合部１０４が設けられた連結部材としての可撓性の結束部材１０５により構成することもできる。この場合、結束部材１０５は、略球状の係止部材１０３が多数連結された構造を有しており、係合部１０４は、係止部材１０３を貫通させる貫通孔１０４ａと、貫通孔１０４ａに連通して設けられた、係止部材１０３の抜けを防止する抜け防止孔としてのスリット１０４ｂとを有している。そして、結束部材１０５を、ＴＶ装置５６の背面に設けられたアンテナ端子１０６（図１１参照）に引っ掛けた状態で、係合部１０４の貫通孔１０４ａに貫通させ、結束部材１０５を係合部１０４のスリット１０４ｂに滑り込ませることにより、イヤホンアダプタ本体５５をＴＶ装置５６に固定することができる。また、この構成に限らず、連結部材の途中に当該連結部材を係止可能な係合部を有する構成であればよい。また、固定機構を構成する連結部材は、必ずしもその一端がイヤホンアダプタ本体５５の電気コード６３に固定されている必要はなく、連結部材の途中が電気コード６３に固定されていてもよい。この場合の固定方法は、結び付ける等、いかなる方法であってもよい。【００５８】  ［第５の実施の形態］
図１４は本発明の第５の実施の形態におけるイヤホンアダプタの一例とＴＶ装置との関係を示す側面図である。【００５９】  図１４に示すように、本実施の形態におけるイヤホンアダプタ７１は、イヤホンアダプタ本体７２と、イヤホンアダプタ本体７２をＴＶ装置１に固定する固定機構とを備えている。イヤホンアダプタ本体７２は、イヤホン端子が差し込まれる差込み口７７と、ＴＶ装置１のイヤホン差込み口２に差込み可能な端子７６と、差込み口７７と端子７６を一体的に支持する差込み口／端子支持体１０１とにより構成されている。また、固定機構は、差込み口／端子支持体１０１の端子７６側の端面（ＴＶ装置１に接する面）に設けられた接着層７８により構成されている。そして、イヤホンアダプタ本体７２の端子７６をＴＶ装置１のイヤホン差込み口２に差し込めば、接着層７８によってイヤホンアダプタ本体７２がＴＶ装置１に固定される。【００６０】  本実施の形態のイヤホンアダプタ７１においては、差込み口７７と端子７６が、それらの中心軸をずらした状態で差込み口／端子支持体１０１に支持されている。このような構成とすることにより、まず、差込み口／端子支持体１０１の端子７６側の端面における接着層７８の形成面積を広くすることができるので、差込み口／端子支持体１０１とＴＶ装置１との接着強度を向上させることができる。また、差込み口／端子支持体１０１内の、差込み口７７の先端部と端子７６の基端部を、差込み口／端子支持体１０１の長手方向で重ねることができるので、差込み口／端子支持体１０１の長手方向の長さを短くすることが可能となる。【００６１】  ［第６の実施の形態］
図１５は本発明の第６の実施の形態におけるイヤホンアダプタの一例とイヤホン及びＴＶ装置との関係を示す側面図である。【００６２】  図１５において、８０はテレビ装置であり、７９はＴＶ装置８０に設けられたイヤホン差込み口である。３はイヤホンであり、４はイヤホン３に設けられたイヤホン端子である。イヤホン３とイヤホン端子４とは、イヤホンコード５を介して接続されている。【００６３】  図１５に示すように、本実施の形態におけるイヤホンアダプタ８１は、イヤホンアダプタ本体８２と、イヤホンアダプタ本体８２をＴＶ装置８０に固定する固定機構８３とを備えている。イヤホンアダプタ本体８２は、イヤホン３のイヤホン端子４が差し込まれる差込み口８４と、ＴＶ装置８０のイヤホン差込み口７９に差込み可能な端子８５と、差込み口８４と端子８５を一体的に支持する差込み口／端子支持体１０２と、別体の固定機構８３に係止される係止片８６とにより構成されている。一方、固定機構８３は、イヤホンアダプタ本体８２の端子８５を貫通させる貫通孔８７と、イヤホンアダプタ本体８２の係止片８６が係止される係止部８８と、ＴＶ装置８０に接する面に設けられた接着層８９とにより構成されている。【００６４】  イヤホンアダプタ本体８２は、その係止片８６が固定機構８３の係止部８８に係止されることによって固定機構８３に取り付けられる。係止片８６と係止部８８の位置は、イヤホンアダプタ本体８２が固定機構８３に取り付けられた際、イヤホンアダプタ本体８２の端子８５がＴＶ装置８０のイヤホン差込み口７９に差込み可能となるように調整される。図１５に示す例においては、係止片８６が差込み口／端子支持体１０２のＴＶ装置８０側の端面からａｍｍの位置に設けられ、係止部８８が固定機構８３のＴＶ装置８０側の端面からａｍｍの位置に設けられている。【００６５】  図１６に、本実施の形態におけるイヤホンアダプタ本体と固定機構との関係を示す。図１６において、９０は、イヤホンアダプタ本体８２の係止片８６を係止位置９１まで案内するガイド溝である。【００６６】  図１６に示すように、イヤホンアダプタ本体８２の係止片８６は、固定機構８３の係止部８８に嵌め込まれた後、反時計回りに９０度回転させられて、ガイド溝９０に沿って係止位置９１まで案内される。詳細は図示していないが、係止位置９１には、ガイド溝９０の底面に凸状の突起が設けられており、係止片８６は、この突起を越えることによって係止位置９１に係止される。これにより、イヤホンアダプタ本体８２が固定機構８３に取り付けられる。逆に、差込み口／端子支持体１０２を掴んで時計回りに回転させれば、係止片８６がガイド溝９０に案内されて係止部８８に到達し、係止片８６の係止状態が解除される。そして、差込み口／端子支持体１０２を固定機構８３から離す方向に引っ張ることにより、イヤホンアダプタ本体８２が固定機構８３から取り外される。【００６７】  このように、イヤホンアダプタ本体８２を固定機構８３に対し結合部（イヤホンアダプタ本体８２に設けられた第１の結合部としての係止片８６と固定機構８３に設けられた第２の結合部としての係止部８８）を介して取り付け／取り外し可能に設けることにより、固定機構８３だけをＴＶ装置８０に固定させておくことが可能となる。そして、この固定機構８３にイヤホンアダプタ本体８２を取り付けた場合には、固定機構８３とイヤホンアダプタ本体８２とが一体となり、イヤホンアダプタ本体８２の端子８５がＴＶ装置８０のイヤホン差込み口７９に差し込まれた状態となる。【００６８】  本実施の形態のイヤホンアダプタ８１の構成によれば、以下のような効果が得られる。すなわち、普段は、イヤホンアダプタ本体８２を固定機構８３から取り外しておくことにより、ＴＶ装置８０のスピーカから音声を出力させることができる。一方、深夜又は早朝の時間帯など、ＴＶ装置８０のスピーカからの音声出力を停止させたい場合には、イヤホンアダプタ本体８２を、ＴＶ装置８０に固定されている固定機構８３に取り付けた後、イヤホンアダプタ本体８２の差込み口８４にイヤホン３のイヤホン端子４を差し込み、イヤホン３を経由してＴＶ番組の音声を聴くことができる。そして、イヤホンコード５に人や物が引っ掛かったり、視聴者が体勢を変えたりするなど、何らかの原因でイヤホン端子４が引っ張られても、イヤホン端子４がイヤホンアダプタ本体８２の差込み口８４から抜け落ちるだけで、イヤホンアダプタ本体８２の端子８５がＴＶ装置８０のイヤホン差込み口７９から抜けることはない。その結果、イヤホン端子４の抜けに伴うＴＶ装置８０のスピーカからの突然の音声出力を防止することができる。【００６９】  また、本実施の形態のイヤホンアダプタ８１の構成によれば、上記第１〜第５の実施の形態のイヤホンアダプタと異なり、ＴＶ装置のスピーカからの音声出力も可能としつつ、さらに、必要に応じてイヤホンアダプタ本体８２を取り付けて、イヤホン端子４の抜けに伴うＴＶ装置のスピーカからの突然の音声出力を防止することが可能となる。【００７０】  尚、本実施の形態においては、固定機構８３のＴＶ装置８０への固定手段が接着層８９である場合を例に挙げて説明したが、固定手段としては、上記第１〜第５の実施の形態で説明した種々の手段を用いることができる。【００７１】  また、本実施の形態においては、イヤホンアダプタ本体８２の係止片８６を固定機構８３の係止部８８に係止させることにより、イヤホンアダプタ本体８２が固定機構８３に取り付けられるようにされているが、イヤホンアダプタ本体８２の固定機構８３への取り付け手段としては、両者を取り付け／取り外し可能な手段であればよい。【００７２】  一例として、図１７に示す構成が考えられる。図１７において、９１はイヤホンアダプタ本体、９２はイヤホンアダプタ本体９１をＴＶ装置８０に固定する固定機構である。図１７に示すように、差込み口／端子支持体１０２の外周には、外筒部９３の移動を規制するストッパ部９４が設けられており、内周に第１の結合部としてのねじ溝９５が刻まれた外筒部９３がこのストッパ部９４に外側から係合されている。一方、固定機構９２の外周には第２の結合部としてのねじ溝９６が刻まれている。そして、イヤホンアダプタ本体９１の外筒部９３の内周のねじ溝９５と固定機構９２の外周のねじ溝９６とがねじ止め（結合）されることにより、イヤホンアダプタ本体９１が固定機構９２に取り付けられる。固定機構９２は、上記と同��く、接着層８９によってＴＶ装置８０に固定される。【００７３】  イヤホンアダプタ本体９１を固定機構９２に取り付ける場合には、差込み口／端子支持体１０２の外周に設けられた外筒部９３を固定機構９２に嵌め込んで回転させることにより、両者をねじ止めする。この場合、外筒部９３のねじ込みに伴い、ストッパ部９４によってテレビ装置８０側に押し込まれた端子８５は、固定機構９２の貫通孔８７を通って徐々にＴＶ装置８０のイヤホン差込み口７９に差し込まれる。イヤホンアダプタ本体９１を固定機構９２から取り外す場合には、外筒部９３を反対方向に回転させて引き抜けばよい。【００７４】  上記第１〜第６の実施の形態においては、イヤホンアダプタをＴＶ装置、特に薄型のＴＶ装置に使用する場合を例に挙げて説明したが、本発明のイヤホンアダプタは、他の音響機器に使用することも可能である。例えば、ＡＭ／ＦＭラジオやＣＤプレーヤ、メモリオーディオなどの音響機器やポータブルＤＶＤプレーヤ、ＰＣなどの映像音響機器に対しても本発明のイヤホンアダプタは有効である。そして、本発明のイヤホンアダプタを用いれば、例えば、新幹線の中でポータブルＤＶＤプレーヤにイヤホンを接続して映画を楽しむ際に、イヤホン端子が抜けて車内に音声が響き渡ることを防止することができる。【００７５】  特に、音響機器がスピーカを備えていて、イヤホン端子の接続時にスピーカからの音声出力が停止するように構成されている場合に、本発明は絶大なる効果を発揮する。もっとも、スピーカを備えていない音響機器に本発明のイヤホンアダプタを使用する場合であっても、イヤホン端子が抜けにくい効果、音響機器の故障を低減する効果を発揮させることは可能である。【００７６】  また、上記第１〜第６の実施の形態においては、単に「イヤホン端子」とのみ述べているが、イヤホン端子としては、ステレオミニプラグや平型コネクタなど、規格で定められた種々のタイプが存在する。また、音響機器の中には、音声信号以外の操作信号等を伝達する差込み口が別にイヤホン差込み口の近隣に並設され、これら複数の差込み口を１本のイヤホンコードに接続するように構成されたものがある。この場合、イヤホンコードの中腹部に機器の操作情報等を表示したり、機器の操作を可能にする操作部を設けたりするのが一般的である。これらのどのタイプのイヤホン端子であっても本発明の効果を得ることが可能である。ただ、平型コネクタや音声信号以外の操作信号等を伝達する差込み口が別にイヤホン差込み口の近隣に並設され、これらがまとめて１本のイヤホンコードに接続されている場合には、単独のイヤホン差込み口のみを有する場合に比してイヤホン端子が抜けにくくなっている。接点が多い分、いずれかの方向からの衝撃には強いからである。従って、本発明は、一般的にＴＶ装置等のスピーカ付きの映像・音響機器に用いられているが音声信号のみを単独で伝達しているために抜けやすい、３．５ｍｍ径のミニプラグ（ステレオ、モノラルどちらであってもよい）の場合に、その効果をよく発揮する。【００７７】  また、上記第１〜第６の実施の形態においては、単に「イヤホン」とのみ述べているが、ヘッドホン、ヘッドセットなど呼び方は違っても、これらはすべて���ヤホンの一種である。【００７８】  また、上記第１〜第６の実施の形態においては、イヤホンアダプタとして説明したが、イヤホンのイヤホン端子が差し込まれる差込み口付きの音響機器として構成することも可能である。【００７９】  例えば、スピーカと、音響機器本体に固定可能なイヤホン装置とを備えた差込み口付き音響機器として構成し、この差込み口付き音響機器の本体側にイヤホン装置を取り外し可能に接続する電気接続受け口を設ける。そして、電気接続受け口にイヤホン装置が接続されている場合には、スピーカからの音声出力が停止するように構成する。【００８０】  また、イヤホン装置には、イヤホンのイヤホン端子が差し込まれる差込み口と、電気接続受け口に接続可能な電気接続端子と、電気接続端子を電気接続受け口に接続した状態で、イヤホン装置を音響機器本体に固定する固定機構とを設ける。【００８１】  以上の構成により、上記第１〜第６の実施の形態で説明したのと同様の効果を奏する音響機器を実現することが可能となる。【００８２】  また、イヤホン装置を音響機器本体に固定されたままの状態として構成し、イヤホン装置又は音響機器本体に設けたスイッチにより、イヤホン装置と音響機器本体との電気的接続を任意に断続設定（ＯＮ／ＯＦＦ）できるように構成してもよい。このような構成によれば、例えば、スイッチをＯＮにしたときにスピーカからの音声出力がＯＦＦとなり、イヤホンのイヤホン端子をイヤホン装置の差込み口に差し込むことによってイヤホンを経由した音声視聴が可能となる。この場合、イヤホン装置の差込み口からイヤホン端子が抜けたとしても、スピーカから音声が漏れることはない。一方、スイッチをＯＦＦにしたときには、スピーカからの音声は通常通り出力される。【００８３】  イヤホン装置と音響機器本体との電気的接続のＯＮ／ＯＦＦは、通常の電源ＯＮ／ＯＦＦスイッチを用いて実現することもできる。
【産業上の利用可能性】
【００８４】  以上のように、本発明のイヤホンアダプタによれば、イヤホン端子の抜けに伴う音響機器のスピーカからの突然の音声出力を防止することができ。従って、本発明は、例えば、病院の共同部屋におけるＴＶ装置のイヤホンアダプタとして有用である。
【図１】
2006049092.tif 000002
【図２】
2006049092.tif 000003
【図３】
2006049092.tif 000004
【図４】
2006049092.tif 000005
【図５】
2006049092.tif 000006
【図６】
2006049092.tif 000007
【図７Ａ】
2006049092.tif 000008
【図７Ｂ】
2006049092.tif 000009
【図８Ａ】
2006049092.tif 000010
【図８Ｂ】
2006049092.tif 000011
【図９Ａ】
2006049092.tif 000012
【図９Ｂ】
2006049092.tif 000013
【図１０】
2006049092.tif 000014
【図１１】
2006049092.tif 000015
【図１２】
2006049092.tif 000016
【図１３】
2006049092.tif 000017
【図１４】
2006049092.tif 000018
【図１５】
2006049092.tif 000019
【図１６】
2006049092.tif 000020
【図１７】
2006049092.tif 000021
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
イヤホンのイヤホン端子が差し込まれる差込み口と、音響機器のイヤホン差込み口に差込み可能な端子とを有するイヤホンアダプタ本体と、
前記端子を前記音響機器の前記イヤホン差込み口に差し込んだ状態で、前記イヤホンアダプタ本体を前記音響機器に固定する固定機構とを備えたイヤホンアダプタ。
【請求項２】
前記イヤホンアダプタ本体が、前記差込み口を支持する差込み口支持体と、前記端子を支持する端子支持体と、前記差込み口支持体と前記端子支持体とを接続する電気コードとを備え、
前記固定機構が、前記電気コードと前記音響機器とを連結する可撓性の連結部材からなる請求項１に記載のイヤホンアダプタ。
【請求項３】
前記連結部材がリング状の止め部を有する請求項２に記載のイヤホンアダプタ。
【請求項４】
前記連結部材が鉤部を有する請求項２に記載のイヤホンアダプタ。
【請求項５】
前記連結部材が、その途中に設けられた、前記連結部材を係止可能な係合部を有する請求項２に記載のイヤホンアダプタ。
【請求項６】
前記連結部材が、略球状の係止部材が多数連結された構造を有し、
前記係合部が、前記係止部材を貫通させる貫通孔と、前記貫通孔に連通して設けられた、前記係止部材の抜けを防止する抜け防止孔とを有する請求項５に記載のイヤホンアダプタ。
【請求項７】
前記イヤホンアダプタ本体が、前記差込み口と前記端子を一体的に支持する差込み口／端子支持体を備えた請求項１に記載のイヤホンアダプタ。
【請求項８】
前記差込み口と前記端子が、それらの中心軸をずらした状態で前記差込み口／端子支持体に支持されている請求項７に記載のイヤホンアダプタ。
【請求項９】
前記固定機構が、前記音響機器にねじ止め可能なねじ孔を有する請求項１に記載のイヤホンアダプタ。
【請求項１０】
前記固定機構が、前記音響機器に接着固定可能な接着層を有する請求項１に記載のイヤホンアダプタ。
【請求項１１】
前記固定機構が、前記イヤホンアダプタ本体の方向に付勢されるアームと、前記アームを支持する支持部とを有する請求項１に記載のイヤホンアダプタ。
【請求項１２】
前記アーム及び／又は支持部が長さ調節可能なスライド構造を有する請求項１１に記載のイヤホンアダプタ。
【請求項１３】
前記固定機構が、高さ調節可能なクランプ部と、前記クランプ部を支持する支持部とを有する請求項１に記載のイヤホンアダプタ。
【請求項１４】
前記クランプ部及び／又は支持部が長さ調節可能なスライド構造を有する請求項１３に記載のイヤホンアダプタ。
【請求項１５】
前記差込み口は、前記イヤホンアダプタ本体が前記音響機器に固定されたとき、前記音響機器の前記イヤホン差込み口の正面から見た２次元平面内で回転可能となるように設けられている請求項１に記載のイヤホンアダプタ。
【請求項１６】
前記差込み口は、前記イヤホンアダプタ本体が前記音響機器に固定されたとき、前記音響機器の前記イヤホン差込み口の正面から見た２次元平面に直交する面内で回転可能となるように設けられている請求項１に記載のイヤホンアダプタ。
【請求項１７】
前記イヤホンアダプタ本体は、前記固定機構に対し結合部を介して取り付け／取り外し可能に設けられている請求項１に記載のイヤホンアダプタ。
【請求項１８】
前記結合部は、前記イヤホンアダプタ本体に設けられた第１の結合部と、前記固定機構に設けられた第２の結合部とからなり、前記第１の結合部と前記第２の結合部とを互いに結合させることにより、前記イヤホンアダプタ本体が前記固定機構に取り付けられる請求項１７に記載のイヤホンアダプタ。
【手続補正２】
【補正対象書類名】明細書
【補正対象項目名】全文
【補正方法】変更
【補正の内容】
【発明の詳細な説明】
【技術分野】
【０００１】
本発明は、イヤホンアダプタに関し、さらに詳細には、イヤホンを、例えばテレビ（以下「ＴＶ」という）装置等の音響機器に取り付ける際に使用されるイヤホンアダプタに関する。
【背景技術】
【０００２】
ＴＶ番組を視聴する際、視聴者は、ＴＶ装置に備え付けのスピーカから音声を出力させるのが一般的である。しかし、ＴＶ装置のスピーカから音声を出力させることが適当でない場面も多い。
【０００３】
一般家庭では、深夜又は早朝の時間帯にＴＶ装置のスピーカから音声を出力させると、近隣の家庭に迷惑をかけるのは当然である。また、ホテルや病院などにおいても、ＴＶ装置のスピーカから音声を出力させることが適当でない場合がある。
【０００４】
このように、ＴＶ装置のスピーカから音声を出力させることが適当でない場合、視聴者は、ＴＶ装置のイヤホン差込み口（ジャック）にイヤホン端子（プラグ）を差し込み、イヤホンを経由してＴＶ番組の音声を楽しむことになる。ＴＶ装置のイヤホン差込み口にイヤホン端子を差し込むと、通常、ＴＶ装置のスピーカからの音声出力が停止するように構成されているので、近隣の住人や同室の入院患者に迷惑がかかることはない。
【０００５】
しかし、通常、ＴＶ番組を視聴する場合の視聴位置はＴＶ装置の画面から数メートル離れた位置になるので、その間のイヤホンコードに人や物が引っ掛かったり、視聴者が体勢を変えたりした瞬間にイヤホン端子がＴＶ装置のイヤホン差込み口から抜けて、ＴＶ装置のスピーカから急に音声が発せられてしまう場合がある。イヤホンでＴＶ装置の音声を聴くのは、通常、ＴＶ装置のスピーカから音声を出力させることができない場面であり、ＴＶ装置のスピーカから突然音声が出力された場合には、近隣の住人や同室の入院患者を驚かせることになる。特に、病院の共同部屋で入院患者がＴＶ番組を視聴している場合、同室の入院患者に与える影響は甚大である。
【０００６】
このような問題を解決するために、イヤホン端子がＴＶ装置のイヤホン差込み口から抜けたことを検知し、ＴＶ装置のスピーカからの音声出力を自動的に停止させる（零にセットする）回路をＴＶ装置に備え付ける技術が提案されている（例えば、特許文献１参照）。
【０００７】
また、このようなＴＶ装置のスピーカからの音声漏れを防止するために、病院などで利用されるＴＶ装置においては、スピーカ線を切断することも行われている。
【０００８】
尚、ヘッドホン用プラグ変換アダプタも種々提案されており、中でも、アダプタの重さによってヘッドホンが着用者の頭部からずれ落ちてしまうことを防止するために、携帯型テープレコーダ等の音声出力用差込み口に差込み可能なミニプラグと、前記ミニプラグに所定長さの電気コードを介して接続され、ヘッドホンの標準プラグが差し込まれる標準プラグ用ジャックと、前記標準プラグ用ジャックに設けられ、ヘッドホン着用者の衣服又はベルトに係止可能なクリップとを備えたヘッドホン用プラグ変換アダプタが提案されている（例えば、特許文献２参照）。
【特許文献１】実開平２−１３３９５号公報
【特許文献２】実公平１−１５０８９号公報
【発明の開示】
【発明が解決しようとする課題】
【０００９】
しかし、上記特許文献１等のようにＴＶ装置側の回路に新たな機能を付加することは、商品の高コスト化を招くだけでなく、ＴＶ装置以外の音響機器も含め、一般的に、イヤホン差込み口を有する音響機器のすべてにこれを搭載することは現実的でない。
【００１０】
また、スピーカ線を切断したＴＶ装置は、商品価値が落ちてしまい、その後の転売等が不可能となってしまう。
【００１１】
また、上記のような構成のヘッドホン用プラグ変換アダプタでは、ミニプラグが携帯型テープレコーダ等の音声出力用差込み口にそのまま差し込まれているだけであるため、ミニプラグと標準プラグ用ジャックとを接続する電気コードに何らかの外力が加わった場合には、ミニプラグが携帯型テープレコーダ等の音声出力用差込み口から抜けてしまい、携帯型テープレコーダ等に備え付けのスピーカから急に音声が発せられてしまうという問題を解決することはできない。
【００１２】
本発明は、従来技術における前記課題を解決するためになされたものであり、ＴＶ装置等の音響機器側の回路に新たな機能を付加することなく、また、ＴＶ装置等の音響機器の商品価値を落とすことなく、イヤホン端子がＴＶ装置等のスピーカを有する音響機器のイヤホン差込み口から抜けたときに、スピーカから音声が突然出力されてしまうことを防止することのできるイヤホンアダプタを提供することを目的とする。
【課題を解決するための手段】
【００１３】
前記目的を達成するため、本発明に係るイヤホンアダプタの構成は、イヤホンのイヤホン端子が差し込まれる差込み口と、音響機器のイヤホン差込み口に差込み可能な端子とを有するイヤホンアダプタ本体と、前記端子を前記音響機器の前記イヤホン差込み口に差し込んだ状態で、前記イヤホンアダプタ本体を前記音響機器に固定する固定機構とを備えたことを特徴とする。
【００１４】
このイヤホンアダプタの構成によれば、端子を音響機器のイヤホン差込み口に差し込んだ状態で、イヤホンアダプタ本体を音響機器に固定することができるので、イヤホンコードに人や物が引っ掛かったり、視聴者が体勢を変えたりするなど、何らかの原因でイヤホン端子が引っ張られても、イヤホン端子がイヤホンアダプタ本体の差込み口から抜け落ちるだけで、イヤホンアダプタ本体の端子が音響機器のイヤホン差込み口から抜けることはない。そして、このように、イヤホン端子がイヤホンアダプタ本体の差込み口から抜け落ちた場合でも、イヤホンアダプタ本体の端子が音響機器のイヤホン差込み口から抜けることはないので、依然として、音響機器のスピーカからの音声出力は停止したままとなる。従って、イヤホン端子の抜けに伴う音響機器のスピーカからの突然の音声出力を防止することができる。
【００１５】
前記本発明のイヤホンアダプタの構成においては、前記イヤホンアダプタ本体が、前記差込み口を支持する差込み口支持体と、前記端子を支持する端子支持体と、前記差込み口支持体と前記端子支持体とを接続する電気コードとを備え、前記固定機構が、前記電気コードと前記音響機器とを連結する可撓性の連結部材からなるのが好ましい。この好ましい例によれば、差込み口支持体が電気コード及び連結部材を介して音響機器側に引っ張られた状態となるので、イヤホンコードに人や物が引っ掛かったり、視聴者が体勢を変えたりするなど、何らかの原因でイヤホン端子が引っ張られても、端子支持体に加わる力を小さく抑えることができる。このため、イヤホン端子がイヤホンアダプタ本体の端子差込み口から抜け落ちるだけで、イヤホンアダプタ本体の端子支持体の端子が音響機器のイヤホン差込み口から抜けることはないので、イヤホン端子の抜けに伴う音響機器のスピーカからの突然の音声出力を防止することができる。また、この場合には、前記連結部材がリング状の止め部を有するのが好ましい。この好ましい例によれば、連結部材を音響機器の背面に取り付けられている既存のねじを用いて音響機器にねじ止めすることができる。また、この場合には、前記連結部材が鉤部を有するのが好ましい。この好ましい例によれば、連結部材を音響機器の背面に設けられたスリットに引っ掛けて音響機器に固定することができる。また、この場合には、前記連結部材が、その途中に設けられた、前記連結部材を係止可能な係合部を有するのが好ましい。この好ましい例によれば、連結部材を、音響機器の背面に設けられたアンテナ端子等に引っ掛けた状態で、連結部材を係合部に係止することにより、音響機器に固定することができる。この場合にはさらに、前記連結部材が、略球状の係止部材が多数連結された構造を有し、前記係合部が、前記係止部材を貫通させる貫通孔と、前記貫通孔に連通して設けられた、前記係止部材の抜けを防止する抜け防止孔とを有するのが好ましい。
【００１６】
また、前記本発明のイヤホンアダプタの構成においては、前記イヤホンアダプタ本体が、前記差込み口と前記端子を一体的に支持する差込み口／端子支持体を備えているのが好ましい。また、この場合には、前記差込み口と前記端子が、それらの中心軸をずらした状態で前記差込み口／端子支持体に支持されているのが好ましい。この好ましい例によれば、接着層を用いてイヤホンアダプタ本体を音響機器に接着固定する場合に、差込み口／端子支持体の端子側の端面における接着層の形成面積を広くすることができるので、差込み口／端子支持体と音響機器との接着強度を向上させることができる。また、差込み口／端子支持体内の、差込み口の先端部と端子の基端部を、差込み口／端子支持体の長手方向で重ねることができるので、差込み口／端子支持体の長手方向の長さを短くすることが可能となる。
【００１７】
また、前記本発明のイヤホンアダプタの構成においては、前記固定機構が、前記音響機器にねじ止め可能なねじ孔を有しているのが好ましい。また、前記本発明のイヤホンアダプタの構成においては、前記固定機構が、前記音響機器に接着固定可能な接着層を有しているのが好ましい。これらの好ましい例によれば、イヤホンアダプタ本体を音響機器に確実に固定することができる。
【００１８】
また、前記本発明のイヤホンアダプタの構成においては、前記固定機構が、前記イヤホンアダプタ本体の方向に付勢されるアームと、前記アームを支持する支持部とを有しているのが好ましい。この好ましい例によれば、イヤホンアダプタ本体の音響機器への着脱が容易となる。また、この場合には、前記アーム及び／又は支持部が長さ調節可能なスライド構造を有しているのが好ましい。この好ましい例によれば、当該イヤホンアダプタを、様々な大きさの音響機器に対応させることが可能となる。また、イヤホンアダプタの収納時に、コンパクトな収納を実現することもできる。
【００１９】
また、前記本発明のイヤホンアダプタの構成においては、前記固定機構が、高さ調節可能なクランプ部と、前記クランプ部を支持する支持部とを有しているのが好ましい。この好ましい例によれば、イヤホンアダプタ本体の音響機器への着脱が容易となる。また、この場合には、前記クランプ部及び／又は支持部が長さ調節可能なスライド構造を有しているのが好ましい。この好ましい例によれば、当該イヤホンアダプタを、様々な大きさの音響機器に対応させることが可能となる。また、イヤホンアダプタの収納時に、コンパクトな収納を実現することもできる。
【００２０】
また、前記本発明のイヤホンアダプタの構成において、前記差込み口は、前記イヤホンアダプタ本体が前記音響機器に固定されたときに、前記音響機器の前記イヤホン差込み口の正面から見た２次元平面内で回転可能となるように設けられているのが好ましい。この好ましい例によれば、イヤホン端子が差し込まれる差込み口を、イヤホンの使用者（視聴者）の体勢変化に柔軟に追随させることができ、イヤホンの使用者に快適な付け心地を提供することが可能となる。また、イヤホン端子の抜け防止をも実現することが可能となる。
【００２１】
また、前記本発明のイヤホンアダプタの構成において、前記差込み口は、前記イヤホンアダプタ本体が前記音響機器に固定されたときに、前記音響機器の前記イヤホン差込み口の正面から見た２次元平面に直交する面内で回転可能となるように設けられているのが好ましい。この好ましい例によれば、イヤホン端子が差し込まれる差込み口を、イヤホンの使用者（視聴者）の体勢変化に柔軟に追随させることができ、イヤホンの使用者に快適な付け心地を提供することが可能となる。
【００２２】
また、前記本発明のイヤホンアダプタの構成において、前記イヤホンアダプタ本体は、前記固定機構に対し結合部を介して取り付け／取り外し可能に設けられているのが好ましい。この好ましい例によれば、以下のような効果が得られる。すなわち、普段は、イヤホンアダプタ本体を固定機構から取り外しておくことにより、音響機器のスピーカから音声を出力させることができる。一方、深夜又は早朝の時間帯など、音響機器のスピーカからの音声出力を止めたい場合には、イヤホンアダプタ本体を、音響機器に固定されている固定機構に取り付けた後、イヤホンアダプタ本体の差込み口にイヤホンのイヤホン端子を差し込み、イヤホンを経由してＴＶ番組等の音声を聴くことができる。また、この場合には、前記結合部は、前記イヤホンアダプタ本体に設けられた第１の結合部と、前記固定機構に設けられた第２の結合部とからなり、前記第１の結合部と前記第２の結合部とを互いに結合させることにより、前記イヤホンアダプタ本体が前記固定機構に取り付けられるのが好ましい。
【００２３】
本発明のイヤホンアダプタは、イヤホン差込み口とイヤホン端子が１つずつ備わっている場合に上記効果をより効果的に発揮することができる。音声信号以外の操作信号等を伝達する差込み口が別にイヤホン差込み口の近隣に並設され、これらがまとめて１本のイヤホンコードに接続されている場合には、音響機器が単独のイヤホン差込み口のみを有する場合に比してイヤホン端子が抜けにくいからである。
【発明の効果】
【００２４】
本発明によれば、音響機器側の回路に新たな機能を付加することなく、また、音響機器の商品価値を落とすことなく、イヤホン端子がスピーカを有する音響機器のイヤホン差込み口から抜けたときに、スピーカから音声が突然出力されてしまうことを防止することができる。
【発明を実施するための最良の形態】
【００２５】
以下、実施の形態を用いて本発明をさらに具体的に説明する。
【００２６】
［第１の実施の形態］
図１は本発明の第１の実施の形態におけるイヤホンアダプタの一例とイヤホン及びＴＶ装置との関係を示す側面図である。
【００２７】
図１において、１はテレビ装置であり、２はＴＶ装置１に設けられたイヤホン差込み口である。３はイヤホンであり、４はイヤホン３に設けられたイヤホン端子である。イヤホン３とイヤホン端子４とは、イヤホンコード５を介して接続されている。
【００２８】
図１に示すように、本実施の形態におけるイヤホンアダプタ６は、イヤホンアダプタ本体７と、イヤホンアダプタ本体７をＴＶ装置１に固定する固定機構８とを備えている。固定機構８は、ねじ孔９が穿設された支持基板１０と、支持基板１０をＴＶ装置１に固定するねじ１１とにより構成されている。イヤホンアダプタ本体７は、イヤホン３のイヤホン端子４が差し込まれる差込み口１２と、ＴＶ装置１のイヤホン差込み口２に差込み可能な端子１４と、差込み口１２と端子１４を一体的に支持する差込み口／端子支持体１３とにより構成されており、当該イヤホンアダプタ本体７は、端子１４を支持基板１０の裏側（ＴＶ装置１側）の面から突出させた状態で支持基板１０に取り付けられている。そして、端子１４をＴＶ装置１のイヤホン差込み口２に差し込んだ状態で、支持基板１０をＴＶ装置１にねじ止めすることにより、イヤホンアダプタ本体７がＴＶ装置１に固定される。
【００２９】
また、本実施の形態のイヤホンアダプタ６において、差込み口／端子支持体１３は、支持基板１０の表側の面に垂直に設けられた第１の支持体１３ａと、第１の支持体１３ａに回転軸１５によって回転可能に連結された、差込み口１２を有する第２の支持体１３ｂとにより構成されている。すなわち、イヤホン３のイヤホン端子４が差し込まれる差込み口１２を有する第２の支持体１３ｂは、イヤホンアダプタ６の側面から見て、２次元平面内で１８０度の範囲で回転できるように構成されている（図１の矢印１６参照）。尚、この場合、差込み口１２と端子１４とは、フレキシブル配線を介して電気的に接続されている。
【００３０】
以上のように、本実施の形態のイヤホンアダプタ６の構成によれば、端子１４をＴＶ装置１のイヤホン差込み口２に差し込んだ状態で、イヤホンアダプタ本体７をＴＶ装置１に固定することができるので、イヤホンコード５に人や物が引っ掛かったり、視聴者が体勢を変えたりするなど、何らかの原因でイヤホン端子４が引っ張られても、イヤホン端子４がイヤホンアダプタ本体７の差込み口１２から抜け落ちるだけで、イヤホンアダプタ本体７の端子１４がＴＶ装置１のイヤホン差込み口２から抜けることはない。そして、このように、イヤホン端子４がイヤホンアダプタ本体７の差込み口１２から抜け落ちた場合でも、イヤホンアダプタ本体７の端子１４がＴＶ装置１のイヤホン差込み口２から抜けることはないので、依然として、ＴＶ装置１が備える図示しないスピーカからの音声出力は止まったままとなる。従って、イヤホン端子４の抜けに伴うＴＶ装置１のスピーカからの突然の音声出力を防止することができるので、視聴者は安心して深夜番組を楽しむことができるようになる。また、共同部屋の入院患者は、突然の音声漏れを警戒することなく、他の患者に迷惑を掛けずにＴＶ番組を楽しむことができるようになる。
【００３１】
また、本実施の形態のイヤホンアダプタ６においては、イヤホンアダプタ６側の単独の構成により、イヤホンアダプタ本体７のＴＶ装置１への固定が実現される。従って、ＴＶ装置１側に何らかの突起等、引っ掛ける対象がなくても、ＴＶ装置１にイヤホンアダプタ本体７を固定することができる。すなわち、本実施の形態によれば、汎用性の高いイヤホンアダプタを提供することが可能となる。
【００３２】
また、本実施の形態のイヤホンアダプタ６の構成によれば、イヤホン端子４を抜けやすい状態（イヤホンアダプタ本体７の差込み口１２が、ＴＶ装置１のイヤホン差込み口２と同じ方向を向いている状態）にしたまま、ＴＶ装置１のスピーカからの音声漏れを防止することが可能となるため、イヤホンコード５に人の足が引っ掛かった場合でも、すぐにイヤホン端子４が抜け落ち、人の転倒事故を防止することもできる。
【００３３】
さらに、本実施の形態のイヤホンアダプタ６の構成によれば、ＴＶ装置１のイヤホン差込み口２の保護も可能となる。すなわち、イヤホン端子４をＴＶ装置１のイヤホン差込み口２に直接差し込んでいたとして、イヤホンコード５に人が引っ掛かったり、イヤホン３の使用者（視聴者）が視聴体勢を変えたりするなど、何らかの原因でＴＶ装置１のイヤホン差込み口２の正面から見て前後方向以外の方向からイヤホン端子４に力がかかった場合には、イヤホン端子４が曲がったり、ＴＶ装置１のイヤホン差込み口２に傷が入ったりして、イヤホン３やＴＶ装置１が故障することがあった。しかし、本実施の形態のイヤホンアダプタ６を用いれば、イヤホン３やイヤホンアダプタ６が故障するだけで、ＴＶ装置１が故障する可能性はかなり低くなる。イヤホン３やイヤホンアダプタ６とＴＶ装置１の価格差を考えれば、ＴＶ装置１の故障が少なくなることによるメリットは非常に大きい。
【００３４】
また、本実施の形態のイヤホンアダプタ６の構成によれば、差込み口／端子支持体１３が、支持基板１０の表側の面に垂直に設けられた第１の支持体１３ａと、第１の支持体１３ａに回転軸１５によって回転可能に連結された、差込み口１２を有する第２の支持体１３ｂとにより構成されているので、イヤホン端子４が差し込まれる差込み口１２を、イヤホン３の使用者（視聴者）の体勢変化に柔軟に追随させることができ、イヤホン３の使用者に快適な付け心地を提供することが可能となる。
【００３５】
尚、本実施の形態においては、固定機構として、ねじ孔９が穿設された支持基板１０と、支持基板１０をＴＶ装置１に固定するねじ１１とにより構成された固定機構８を例に挙げて説明したが、固定機構はかかる構成のものに限定されるものではなく、イヤホンアダプタ本体７の端子１４をＴＶ装置１のイヤホン差込み口２に差し込んだ状態で、イヤホンアダプタ本体７をＴＶ装置１に固定できるものであればよい。
【００３６】
例えば、図２に示すように、支持基板１０と、支持基板１０の裏側（ＴＶ装置１側）の面に貼り付けられた、支持基板１０をＴＶ装置１に接着固定可能な両面テープ１７とにより固定機構１８を構成し、両面テープ１７の粘着力を利用して、イヤホンアダプタ本体７をＴＶ装置１に固定するようにしてもよい。このような構成の固定機構１８を用いれば、上述のねじ１１を利用する場合に比べて、ねじ穴が開いてしまう等のＴＶ装置１に与える影響を最小限に留めることができる。また、イヤホンアダプタ本体７の着脱も容易となる。従って、ＴＶ装置１の転売等に支障を来たすことはない。この場合、支持基板１０とＴＶ装置１との固定が可能であれば、両面テープに限らず、単に接着剤を用いてもよいし、面ファスナなどを用いることも可能である。
【００３７】
また、図３に示すように、先端部分がイヤホンアダプタ本体７の方向に付勢されるアーム１９と、イヤホンアダプタ本体７が取り付けられると共に、アーム１９の基端部が回動自在に連結される支持部としての支持基板２０とにより固定機構２１を構成し、アーム１９の先端部分の付勢力を利用して、イヤホンアダプタ本体７をＴＶ装置２３に固定するようにしてもよい。詳細は図示していないが、アーム１９の先端部分のイヤホンアダプタ本体７の方向への付勢は、例えば、支持基板２０とアーム１９とを連結する回転軸２２にゼンマイばねを組み込むことによって実現することができる。また、図４に示すように、支持基板２０とアーム１９との間にコイルばね２５を介在させることによっても、アーム１９の先端部分のイヤホンアダプタ本体７の方向への付勢を実現することができる。さらに、図５に示すように、支持基板２０及びアーム１９の基端を、回転軸２２に対してアーム１９の先端部分と反対側にも延長し、この部分を把手部２６とすることもできる。把手部２６においては、アーム１９と支持基板２０との間にコイルばね２７が介在され、両者は離反する方向へと付勢される。そして、これにより、アーム１９の先端部分のイヤホンアダプタ本体７の方向への付勢が実現される。このように、固定機構をいわば洗濯バサミのような構造とすることにより、イヤホンアダプタ本体７のＴＶ装置２３への着脱が容易となる。以上のような構造の固定機構においては、支持基板２０やアーム１９とＴＶ装置２３とが接触する部分に弾力材を用いるのが望ましい。これにより、ＴＶ装置２３に傷が付くことを防止することができる。また、弾力材とＴＶ装置２３の筐体との間の滑り止め効果により、イヤホンアダプタ本体７がＴＶ装置２３に固定された状態からずれることを防止することもできる。尚、図３〜図５中、２４はＴＶ装置２３に設けられたイヤホン差込み口である。
【００３８】
また、図６に示すように、高さ調節可能なクランプ部２９と、イヤホンアダプタ本体７が取り付けられると共に、クランプ部２９が支持される支持部としての支持基板３０とにより固定機構２８を構成するようにしてもよい（クランプ機構）。クランプ部２９は、一端が支持基板３０に支持されると共に、ねじ溝３２が刻まれたシャフト３１と、シャフト３１のねじ溝３２に螺合する雌ねじが切られたナット３３と、支持基板３０とナット３３との間に位置した状態でシャフト３１に挿通された押圧体３４とにより構成されている。この場合、押圧体３４は、ナット３３を回転させることによって支持基板３０の方向に移動させることができる。そして、端子１４をＴＶ装置２３のイヤホン差込み口２４に差し込んだ状態で、ナット３３を回転させて押圧体３４をＴＶ装置２３の背面に押圧することにより、イヤホンアダプタ本体７がＴＶ装置２３に固定される。このように、固定機構としてクランプ部２９を有する固定機構２８用いることにより、イヤホンアダプタ本体７のＴＶ装置２３への着脱が容易となる。この場合、支持基板３０や押圧体３４とＴＶ装置２３とが接触する部分に弾力材を用いるのが望ましい。これにより、ＴＶ装置２３に傷が付くことを防止することができる。また、弾力材とＴＶ装置２３の筐体との間の滑り止め効果により、イヤホンアダプタ本体７がＴＶ装置２３に固定された状態からずれることを防止することもできる。
【００３９】
以上のように、固定機構を、洗濯バサミのような形状やクランプ形状とした場合には、特に薄型ＴＶ装置に対して本発明のイヤホンアダプタを使用することが可能となる。従来の陰極線管ＴＶ装置であっても、何らかの突起があれば、そこにアーム１９やクランプ部２９の押圧体３４を引っ掛けて、イヤホンアダプタ本体７を固定することは可能であるが、近年流行の薄型ＴＶ装置（ＬＣＤ（Liquid Crystal Display）、ＰＤＰ（Plasma Display Panel）、有機ＥＬ（Electro Luminescence）、ＦＥＤ（Field Emission Display）など）であれば、ＴＶ装置自体にアーム１９やクランプ部２９の押圧体３４を引っ掛けることが可能であるため、イヤホンアダプタ本体７をより確実に固定することができる。
【００４０】
イヤホンアダプタ本体７のＴＶ装置２３への取り付けに際しては、ＴＶ装置２３の上下左右いずれかの方向からアーム１９やクランプ部２９の押圧体３４をＴＶ装置２３の背面側に回して、引っ掛けるようにすればよい。ＴＶ装置２３におけるイヤホン差込み口２４の位置はメーカによって様々であるため、支持基板２０、３０やアーム１９及びクランプ部２９の長さは、多少余裕を持った長さにしておくのが望ましい。
【００４１】
例えば、支持基板２０、３０の長さは、イヤホン差込み口２４が一般的にＴＶ装置２３の端に近い部分に備わっていることを考慮して決定することができる。また、一般に、薄型ＴＶ装置の奥行きは１０ｃｍ前後から３０ｃｍ前後のものが多いので、アーム１９が開ききった状態で、アーム１９の先端部分と支持基板２０との間の距離が３０ｃｍ程度となるように、固定機構２１を構成すればよい。また、クランプ部２９を有する固定機構２８の場合には、支持基板３０と押圧体３４との間の距離が３０ｃｍ程度となるように構成すればよい。もっとも、近年のＴＶ装置の薄型化を考えれば、奥行きが１０ｃｍ程度のものが多くなると予想されるので、これらの距離を１０ｃｍ程度にしておくことも可能である。
【００４２】
その他、図示はしていないが、固定機構を、樹脂等の弾性を有する素材を用いて略Π字形状のものとして構成し、これにより、固定機構を、イヤホンアダプタ本体の方向に付勢させることも可能である。この場合、アームを回動自在に支持する回転軸やクランプ部といった部品を使用する必要がないため、固定機構の構成を単純化することができる。そして、これにより、イヤホンアダプタの製造原価の低減と製造工程の簡略化を図ることが可能となる。
【００４３】
また、固定機構を、イヤホンアダプタ本体の方向に付勢させる構成とせず、ＴＶ装置のイヤホン差込み口の正面から見て前後方向に一定の長さを有するものとして構成し、単にＴＶ装置をこの固定機構の上に載せるようにしてもよい。この構成によれば、ＴＶ装置の自重により、イヤホンアダプタ本体をＴＶ装置に固定することができる。そして、このような非常に簡単な構成でイヤホンアダプタを実現することにより、汎用性のより高いイヤホンアダプタを提供することが可能となる。
【００４４】
また、本実施の形態のイヤホンアダプタ本体７においては、差込み口／端子支持体１３が、支持基板１０（あるいは２０又は３０）の表側の面に垂直に設けられた第１の支持体１３ａと、第１の支持体１３ａに回転軸１５によって回転可能に連結された、差込み口１２を有する第２の支持体１３ｂとにより構成され、第２の支持体１３ｂが、イヤホンアダプタ６の側面から見て、２次元平面内で回転できるように構成されているが、例えば、ピボット軸受けを用いて、第２の支持体を第１の支持体に対して自由に回転できるように構成してもよい。この構成によれば、イヤホン端子４が差し込まれる端子差込み口を、イヤホン３の使用者（視聴者）の体勢変化にさらに柔軟に追随させることができ、イヤホン３の使用者により快適な付け心地を提供することが可能となる。
【００４５】
［第２の実施の形態］
図７Ａは本発明の第２の実施の形態におけるイヤホンアダプタの一例とＴＶ装置との関係を示す側面図、図７Ｂは本実施の形態におけるイヤホンアダプタ本体をＴＶ装置に固定した状態を示す正面図である。
【００４６】
図７Ａに示すように、本実施の形態におけるイヤホンアダプタ３５は、イヤホンアダプタ本体３６と、イヤホンアダプタ本体３６をＴＶ装置３７に固定する固定機構３８とを備えている。固定機構３８は、先端部分がイヤホンアダプタ本体３６の方向に付勢されるアーム３９と、イヤホンアダプタ本体３６が取り付けられると共に、アーム３９の基端部が回動自在に連結される支持部としての支持基板４０とにより構成され、アーム３９の先端部分の付勢力を利用して、イヤホンアダプタ本体３６をＴＶ装置３７に固定するようにされている。アーム３９の先端部分のイヤホンアダプタ本体３６の方向への付勢は、支持基板４０とアーム３９との間に介在されたコイルばね４１によって実現されている。イヤホンアダプタ本体３６は、支持基板４０の表側の面に回転部４２を介して設けられた、イヤホン端子４（図１参照）が差し込まれる差込み口４３を支持する差込み口支持体４４と、支持基板４０の裏側（ＴＶ装置３７側）の面に設けられた、ＴＶ装置３７のイヤホン差込み口４５に差込み可能な端子４６とにより構成されている。詳細は図示していないが、回転部４２は、雄側を構成する回転軸と雌側を構成する回転体とが回転可能に一定のクリアランスを確保した状態で嵌合されて構成されている。尚、差込み口支持体４４の回転動作の円滑を確保するために、回転部４２に軸受けを組み込むことも可能である。この構成により、差込み口支持体４４は、ＴＶ装置３７のイヤホン差込み口４５の正面から見て、２次元平面内で回転可能となる（図７Ｂの矢印４６の方向）。
【００４７】
このように、イヤホンアダプタ３５に回転部４２を設けて差込み口支持体４４を回転可能に構成したので、イヤホン端子４が差し込まれる差込み口４３を、イヤホン３（図１参照）の使用者（視聴者）の体勢変化に柔軟に追随させることができ、イヤホン３の使用者に快適な付け心地を提供することが可能となる。
【００４８】
尚、本実施の形態のイヤホンアダプタ３５においては、上記第１の実施の形態のイヤホンアダプタとは異なり、図１等の回転軸１５に相当する構成を備えていない。従って、イヤホン端子４が差し込まれる差込み口４３は、ＴＶ装置３７のイヤホン差込み口４５の正面から見た２次元平面に直交する面内では回転することができない。このため、イヤホン端子４が差し込まれる差込み口４３の、イヤホン３の使用者（視聴者）の体勢変化への追随を確保しつつ、イヤホン端子４の抜け防止をも実現することが可能となる。
【００４９】
［第３の実施の形態］
図８Ａは本発明の第３の実施の形態におけるイヤホンアダプタの一例とＴＶ装置との関係を示す側面図、図８Ｂは本実施の形態におけるイヤホンアダプタの固定機構のアームを省いた構成を示す正面図である。尚、上記第２の実施の形態のイヤホンアダプタの構成部材と同じ構成部材には同一の符号を付し、その詳細な説明は省略する。
【００５０】
図８Ａにおいて、４７はイヤホンアダプタ本体３６が取り付けられる支持基板である。図８Ａ、図８Ｂに示すように、支持基板４７にはスライド体４８がスライド可能に取り付けられており、スライド体４８にはアーム４９の基端部が回動自在に連結されている。スライド体４８とアーム４９との間にはコイルばね５０が介在されており、これによりアーム４９の先端部分がイヤホンアダプタ本体３６の方向に付勢されている。支持基板４７には、長孔からなるスライドレール４７ａが設けられている。また、スライド体４８にも、長孔からなるスライドレール４８ａが設けられている。そして、スライドレール４７ａとスライドレール４８ａとを一部重ねた状態で、両スライドレール４７ａ、４８ａにボルト５１を挿通してナット５２で締結することにより、スライド体４８が、支持基板４７に対してスライド可能に取り付けられる。
【００５１】
支持基板４７に沿ってスライド体４８をスライドさせる場合には、一旦ナット５２を緩め、希望の長さとなるまでスライド体４８をスライドさせた後、再度ナット５２を締結してスライド体４８を固定する。これにより、上記第１の実施の形態で説明したように支持基板の長さを一定以上にしておかなくても、様々な大きさのＴＶ装置に対応させることが可能となる。また、イヤホンアダプタの収納時には、コンパクトな収納を実現することもできる。
【００５２】
尚、本実施の形態のイヤホンアダプタにおいては、支持基板のみを長さ調節可能なスライド構造としているが、アームや、上記第１の実施の形態で説明したクランプ部についても長さ調節可能なスライド構造とすることができる。例えば、図９Ａに示すイヤホンアダプタにおいては、さらに、スライド体４８にスライド体５４の基端部が回動自在に連結されており、スライド体５４にはアーム４９がスライド可能に取り付けられている。また、図９Ｂに示すイヤホンアダプタにおいては、クランプ部２９のシャフト３１がスライド体５３を介して支持基板３０に支持されている。図９Ａのアーム４９を伸縮させるスライド構造、及び図９Ｂのクランプ部２９を伸縮させるスライド構造は、上記と同様の構成であるため、さらなる説明は省略する。
【００５３】
［第４の実施の形態］
図１０は本発明の第４の実施の形態におけるイヤホンアダプタの一例とＴＶ装置との関係を示す側面図、図１１は本実施の形態のイヤホンアダプタ本体が固定されるＴＶ装置の概略背面図である。
【００５４】
図１０に示すように、本実施の形態におけるイヤホンアダプタ５４は、イヤホンアダプタ本体５５と、イヤホンアダプタ本体５５をＴＶ装置５６に固定する固定機構５７とを備えている。イヤホンアダプタ本体５５は、イヤホン端子が差し込まれる差込み口６１を支持する差込み口支持体６２と、ＴＶ装置５６のイヤホン差込み口５８に差込み可能な端子５９を支持する端子支持体６０と、差込み口支持体６２と端子支持体６０とを接続する電気コード６３とにより構成されている。また、固定機構５７は、一端がイヤホンアダプタ本体５５の電気コード６３に固定され、他端にリング状の止め部６４が設けられた、連結部材としての可撓性のベルト６５により構成されている。そして、端子５９をＴＶ装置５６のイヤホン差込み口５８に差し込んだ状態で、ベルト６５の他端の止め部６４を、ＴＶ装置５６の背面に取り付けられている既存のねじ６７（図１１参照）を用いてＴＶ装置５６にねじ止めすることにより、イヤホンアダプタ本体５５がＴＶ装置５６に固定される。この場合、ベルト６５の長さは、当該ベルト６５の止め部６４をねじ止めした場合に弛みのない状態となるように設定される。尚、ベルト６５を、例えば、ロック機構を有するアジャスタを用いた伸縮可能な構成にすれば、ねじ６７の位置が多少ずれていても容易に対応させることが可能となる。また、液晶ＴＶ装置にスタンド用アームを取り付けるベサ（ＶＥＳＡ）規格対応のねじ１００を用いてベルト６５の他端の止め部６４をＴＶ装置５６にねじ止めすることもできる。
【００５５】
本実施の形態のイヤホンアダプタ５４の構成によれば、ＴＶ装置５６のイヤホン差込み口５８に差込み可能な端子５９を支持する端子支持体６０と、イヤホン端子が差し込まれる差込み口６１を支持する差込み口支持体６２とを接続する電気コード６３に固定されたベルト６５の他端をＴＶ装置５６に固定することにより、イヤホンアダプタ本体５５をＴＶ装置５６に固定するようにしたので、以下のような効果が得られる。すなわち、差込み口支持体６２が電気コード６３及びベルト６５を介してＴＶ装置５６側に引っ張られた状態となるので、イヤホンコードに人や物が引っ掛かったり、視聴者が体勢を変えたりするなど、何らかの原因でイヤホン端子が引っ張られても、端子支持体６０に加わる力を小さく抑えることができる。このため、イヤホン端子がイヤホンアダプタ本体５５の端子差込み口６１から抜け落ちるだけで、イヤホンアダプタ本体５５の端子支持体６０の端子５９がＴＶ装置５６のイヤホン差込み口５８から抜けることはないので、イヤホン端子の抜けに伴うＴＶ装置５６のスピーカからの突然の音声出力を防止することができる。
【００５６】
尚、本実施の形態においては、固定機構として、一端がイヤホンアダプタ本体５５の電気コード６３に固定され、他端にリング状の止め部６４が設けられたベルト６５により構成された固定機構５７を例に挙げて説明したが、例えば、図１２に示すような、他端に鉤部６８が設けられたベルト６９を用い、鉤部６８を、ＴＶ装置５６の背面に設けられたスリット７０（図１１参照）に引っ掛けることにより、イヤホンアダプタ本体５５をＴＶ装置５６に固定するようにしてもよい。また、例えば、図１３に示すような構成を採ることもできる。すなわち、固定機構を、一端がイヤホンアダプタ本体５５の電気コード６３に固定され、その途中に係合部１０４が設けられた連結部材としての可撓性の結束部材１０５により構成することもできる。この場合、結束部材１０５は、略球状の係止部材１０３が多数連結された構造を有しており、係合部１０４は、係止部材１０３を貫通させる貫通孔１０４ａと、貫通孔１０４ａに連通して設けられた、係止部材１０３の抜けを防止する抜け防止孔としてのスリット１０４ｂとを有している。そして、結束部材１０５を、ＴＶ装置５６の背面に設けられたアンテナ端子１０６（図１１参照）に引っ掛けた状態で、係合部１０４の貫通孔１０４ａに貫通させ、結束部材１０５を係合部１０４のスリット１０４ｂに滑り込ませることにより、イヤホンアダプタ本体５５をＴＶ装置５６に固定することができる。また、この構成に限らず、連結部材の途中に当該連結部材を係止可能な係合部を有する構成であればよい。また、固定機構を構成する連結部材は、必ずしもその一端がイヤホンアダプタ本体５５の電気コード６３に固定されている必要はなく、連結部材の途中が電気コード６３に固定されていてもよい。この場合の固定方法は、結び付ける等、いかなる方法であってもよい。
【００５７】
［第５の実施の形態］
図１４は本発明の第５の実施の形態におけるイヤホンアダプタの一例とＴＶ装置との関係を示す側面図である。
【００５８】
図１４に示すように、本実施の形態におけるイヤホンアダプタ７１は、イヤホンアダプタ本体７２と、イヤホンアダプタ本体７２をＴＶ装置１に固定する固定機構とを備えている。イヤホンアダプタ本体７２は、イヤホン端子が差し込まれる差込み口７７と、ＴＶ装置１のイヤホン差込み口２に差込み可能な端子７６と、差込み口７７と端子７６を一体的に支持する差込み口／端子支持体１０１とにより構成されている。また、固定機構は、差込み口／端子支持体１０１の端子７６側の端面（ＴＶ装置１に接する面）に設けられた接着層７８により構成されている。そして、イヤホンアダプタ本体７２の端子７６をＴＶ装置１のイヤホン差込み口２に差し込めば、接着層７８によってイヤホンアダプタ本体７２がＴＶ装置１に固定される。
【００５９】
本実施の形態のイヤホンアダプタ７１においては、差込み口７７と端子７６が、それらの中心軸をずらした状態で差込み口／端子支持体１０１に支持されている。このような構成とすることにより、まず、差込み口／端子支持体１０１の端子７６側の端面における接着層７８の形成面積を広くすることができるので、差込み口／端子支持体１０１とＴＶ装置１との接着強度を向上させることができる。また、差込み口／端子支持体１０１内の、差込み口７７の先端部と端子７６の基端部を、差込み口／端子支持体１０１の長手方向で重ねることができるので、差込み口／端子支持体１０１の長手方向の長さを短くすることが可能となる。
【００６０】
［第６の実施の形態］
図１５は本発明の第６の実施の形態におけるイヤホンアダプタの一例とイヤホン及びＴＶ装置との関係を示す側面図である。
【００６１】
図１５において、８０はテレビ装置であり、７９はＴＶ装置８０に設けられたイヤホン差込み口である。３はイヤホンであり、４はイヤホン３に設けられたイヤホン端子である。イヤホン３とイヤホン端子４とは、イヤホンコード５を介して接続されている。
【００６２】
図１５に示すように、本実施の形態におけるイヤホンアダプタ８１は、イヤホンアダプタ本体８２と、イヤホンアダプタ本体８２をＴＶ装置８０に固定する固定機構８３とを備えている。イヤホンアダプタ本体８２は、イヤホン３のイヤホン端子４が差し込まれる差込み口８４と、ＴＶ装置８０のイヤホン差込み口７９に差込み可能な端子８５と、差込み口８４と端子８５を一体的に支持する差込み口／端子支持体１０２と、別体の固定機構８３に係止される係止片８６とにより構成されている。一方、固定機構８３は、イヤホンアダプタ本体８２の端子８５を貫通させる貫通孔８７と、イヤホンアダプタ本体８２の係止片８６が係止される係止部８８と、ＴＶ装置８０に接する面に設けられた接着層８９とにより構成されている。
【００６３】
イヤホンアダプタ本体８２は、その係止片８６が固定機構８３の係止部８８に係止されることによって固定機構８３に取り付けられる。係止片８６と係止部８８の位置は、イヤホンアダプタ本体８２が固定機構８３に取り付けられた際、イヤホンアダプタ本体８２の端子８５がＴＶ装置８０のイヤホン差込み口７９に差込み可能となるように調整される。図１５に示す例においては、係止片８６が差込み口／端子支持体１０２のＴＶ装置８０側の端面からａｍｍの位置に設けられ、係止部８８が固定機構８３のＴＶ装置８０側の端面からａｍｍの位置に設けられている。
【００６４】
図１６に、本実施の形態におけるイヤホンアダプタ本体と固定機構との関係を示す。図１６において、９０は、イヤホンアダプタ本体８２の係止片８６を係止位置９１まで案内するガイド溝である。
【００６５】
図１６に示すように、イヤホンアダプタ本体８２の係止片８６は、固定機構８３の係止部８８に嵌め込まれた後、反時計回りに９０度回転させられて、ガイド溝９０に沿って係止位置９１まで案内される。詳細は図示していないが、係止位置９１には、ガイド溝９０の底面に凸状の突起が設けられており、係止片８６は、この突起を越えることによって係止位置９１に係止される。これにより、イヤホンアダプタ本体８２が固定機構８３に取り付けられる。逆に、差込み口／端子支持体１０２を掴んで時計回りに回転させれば、係止片８６がガイド溝９０に案内されて係止部８８に到達し、係止片８６の係止状態が解除される。そして、差込み口／端子支持体１０２を固定機構８３から離す方向に引っ張ることにより、イヤホンアダプタ本体８２が固定機構８３から取り外される。
【００６６】
このように、イヤホンアダプタ本体８２を固定機構８３に対し結合部（イヤホンアダプタ本体８２に設けられた第１の結合部としての係止片８６と固定機構８３に設けられた第２の結合部としての係止部８８）を介して取り付け／取り外し可能に設けることにより、固定機構８３だけをＴＶ装置８０に固定させておくことが可能となる。そして、この固定機構８３にイヤホンアダプタ本体８２を取り付けた場合には、固定機構８３とイヤホンアダプタ本体８２とが一体となり、イヤホンアダプタ本体８２の端子８５がＴＶ装置８０のイヤホン差込み口７９に差し込まれた状態となる。
【００６７】
本実施の形態のイヤホンアダプタ８１の構成によれば、以下のような効果が得られる。すなわち、普段は、イヤホンアダプタ本体８２を固定機構８３から取り外しておくことにより、ＴＶ装置８０のスピーカから音声を出力させることができる。一方、深夜又は早朝の時間帯など、ＴＶ装置８０のスピーカからの音声出力を停止させたい場合には、イヤホンアダプタ本体８２を、ＴＶ装置８０に固定されている固定機構８３に取り付けた後、イヤホンアダプタ本体８２の差込み口８４にイヤホン３のイヤホン端子４を差し込み、イヤホン３を経由してＴＶ番組の音声を聴くことができる。そして、イヤホンコード５に人や物が引っ掛かったり、視聴者が体勢を変えたりするなど、何らかの原因でイヤホン端子４が引っ張られても、イヤホン端子４がイヤホンアダプタ本体８２の差込み口８４から抜け落ちるだけで、イヤホンアダプタ本体８２の端子８５がＴＶ装置８０のイヤホン差込み口７９から抜けることはない。その結果、イヤホン端子４の抜けに伴うＴＶ装置８０のスピーカからの突然の音声出力を防止することができる。
【００６８】
また、本実施の形態のイヤホンアダプタ８１の構成によれば、上記第１〜第５の実施の形態のイヤホンアダプタと異なり、ＴＶ装置のスピーカからの音声出力も可能としつつ、さらに、必要に応じてイヤホンアダプタ本体８２を取り付けて、イヤホン端子４の抜けに伴うＴＶ装置のスピーカからの突然の音声出力を防止することが可能となる。
【００６９】
尚、本実施の形態においては、固定機構８３のＴＶ装置８０への固定手段が接着層８９である場合を例に挙げて説明したが、固定手段としては、上記第１〜第５の実施の形態で説明した種々の手段を用いることができる。
【００７０】
また、本実施の形態においては、イヤホンアダプタ本体８２の係止片８６を固定機構８３の係止部８８に係止させることにより、イヤホンアダプタ本体８２が固定機構８３に取り付けられるようにされているが、イヤホンアダプタ本体８２の固定機構８３への取り付け手段としては、両者を取り付け／取り外し可能な手段であればよい。
【００７１】
一例として、図１７に示す構成が考えられる。図１７において、９１はイヤホンアダプタ本体、９２はイヤホンアダプタ本体９１をＴＶ装置８０に固定する固定機構である。図１７に示すように、差込み口／端子支持体１０２の外周には、外筒部９３の移動を規制するストッパ部９４が設けられており、内周に第１の結合部としてのねじ溝９５が刻まれた外筒部９３がこのストッパ部９４に外側から係合されている。一方、固定機構９２の外周には第２の結合部としてのねじ溝９６が刻まれている。そして、イヤホンアダプタ本体９１の外筒部９３の内周のねじ溝９５と固定機構９２の外周のねじ溝９６とがねじ止め（結合）されることにより、イヤホンアダプタ本体９１が固定機構９２に取り付けられる。固定機構９２は、上記と同じく、接着層８９によってＴＶ装置８０に固定される。
【００７２】
イヤホンアダプタ本体９１を固定機構９２に取り付ける場合には、差込み口／端子支持体１０２の外周に設けられた外筒部９３を固定機構９２に嵌め込んで回転させることにより、両者をねじ止めする。この場合、外筒部９３のねじ込みに伴い、ストッパ部９４によってテレビ装置８０側に押し込まれた端子８５は、固定機構９２の貫通孔８７を通って徐々にＴＶ装置８０のイヤホン差込み口７９に差し込まれる。イヤホンアダプタ本体９１を固定機構９２から取り外す場合には、外筒部９３を反対方向に回転させて引き抜けばよい。
【００７３】
上記第１〜第６の実施の形態においては、イヤホンアダプタをＴＶ装置、特に薄型のＴＶ装置に使用する場合を例に挙げて説明したが、本発明のイヤホンアダプタは、他の音響機器に使用することも可能である。例えば、ＡＭ／ＦＭラジオやＣＤプレーヤ、メモリオーディオなどの音響機器やポータブルＤＶＤプレーヤ、ＰＣなどの映像音響機器に対しても本発明のイヤホンアダプタは有効である。そして、本発明のイヤホンアダプタを用いれば、例えば、新幹線の中でポータブルＤＶＤプレーヤにイヤホンを接続して映画を楽しむ際に、イヤホン端子が抜けて車内に音声が響き渡ることを防止することができる。
【００７４】
特に、音響機器がスピーカを備えていて、イヤホン端子の接続時にスピーカからの音声出力が停止するように構成されている場合に、本発明は絶大なる効果を発揮する。もっとも、スピーカを備えていない音響機器に本発明のイヤホンアダプタを使用する場合であっても、イヤホン端子が抜けにくい効果、音響機器の故障を低減する効果を発揮させることは可能である。
【００７５】
また、上記第１〜第６の実施の形態においては、単に「イヤホン端子」とのみ述べているが、イヤホン端子としては、ステレオミニプラグや平型コネクタなど、規格で定められた種々のタイプが存在する。また、音響機器の中には、音声信号以外の操作信号等を伝達する差込み口が別にイヤホン差込み口の近隣に並設され、これら複数の差込み口を１本のイヤホンコードに接続するように構成されたものがある。この場合、イヤホンコードの中腹部に機器の操作情報等を表示したり、機器の操作を可能にする操作部を設けたりするのが一般的である。これらのどのタイプのイヤホン端子であっても本発明の効果を得ることが可能である。ただ、平型コネクタや音声信号以外の操作信号等を伝達する差込み口が別にイヤホン差込み口の近隣に並設され、これらがまとめて１本のイヤホンコードに接続されている場合には、単独のイヤホン差込み口のみを有する場合に比してイヤホン端子が抜けにくくなっている。接点が多い分、いずれかの方向からの衝撃には強いからである。従って、本発明は、一般的にＴＶ装置等のスピーカ付きの映像・音響機器に用いられているが音声信号のみを単独で伝達しているために抜けやすい、３．５ｍｍ径のミニプラグ（ステレオ、モノラルどちらであってもよい）の場合に、その効果をよく発揮する。
【００７６】
また、上記第１〜第６の実施の形態においては、単に「イヤホン」とのみ述べているが、ヘッドホン、ヘッドセットなど呼び方は違っても、これらはすべてイヤホンの一種である。
【００７７】
また、上記第１〜第６の実施の形態においては、イヤホンアダプタとして説明したが、イヤホンのイヤホン端子が差し込まれる差込み口付きの音響機器として構成することも可能である。
【００７８】
例えば、スピーカと、音響機器本体に固定可能なイヤホン装置とを備えた差込み口付き音響機器として構成し、この差込み口付き音響機器の本体側にイヤホン装置を取り外し可能に接続する電気接続受け口を設ける。そして、電気接続受け口にイヤホン装置が接続されている場合には、スピーカからの音声出力が停止するように構成する。
【００７９】
また、イヤホン装置には、イヤホンのイヤホン端子が差し込まれる差込み口と、電気接続受け口に接続可能な電気接続端子と、電気接続端子を電気接続受け口に接続した状態で、イヤホン装置を音響機器本体に固定する固定機構とを設ける。
【００８０】
以上の構成により、上記第１〜第６の実施の形態で説明したのと同様の効果を奏する音響機器を実現することが可能となる。
【００８１】
また、イヤホン装置を音響機器本体に固定されたままの状態として構成し、イヤホン装置又は音響機器本体に設けたスイッチにより、イヤホン装置と音響機器本体との電気的接続を任意に断続設定（ＯＮ／ＯＦＦ）できるように構成してもよい。このような構成によれば、例えば、スイッチをＯＮにしたときにスピーカからの音声出力がＯＦＦとなり、イヤホンのイヤホン端子をイヤホン装置の差込み口に差し込むことによってイヤホンを経由した音声視聴が可能となる。この場合、イヤホン装置の差込み口からイヤホン端子が抜けたとしても、スピーカから音声が漏れることはない。一方、スイッチをＯＦＦにしたときには、スピーカからの音声は通常通り出力される。
【００８２】
イヤホン装置と音響機器本体との電気的接続のＯＮ／ＯＦＦは、通常の電源ＯＮ／ＯＦＦスイッチを用いて実現することもできる。
【産業上の利用可能性】
【００８３】
以上のように、本発明のイヤホンアダプタによれば、イヤホン端子の抜けに伴う音響機器のスピーカからの突然の音声出力を防止することができ。従って、本発明は、例えば、病院の共同部屋におけるＴＶ装置のイヤホンアダプタとして有用である。
【図面の簡単な説明】
【００８４】
【図１】本発明の第１の実施の形態におけるイヤホンアダプタの一例（固定機構がねじ止め）とイヤホン及びＴＶ装置との関係を示す側面図
【図２】本発明の第１の実施の形態におけるイヤホンアダプタの他の例（固定機構が接着固定）とイヤホン及びＴＶ装置との関係を示す側面図
【図３】本発明の第１の実施の形態におけるイヤホンアダプタのさらに他の例（固定機構がゼンマイばねによるアームの付勢力）とイヤホン及びＴＶ装置との関係を示す側面図
【図４】本発明の第１の実施の形態におけるイヤホンアダプタのさらに他の例（固定機構がコイルばねによるアームの付勢力）とイヤホン及びＴＶ装置との関係を示す側面図
【図５】本発明の第１の実施の形態におけるイヤホンアダプタのさらに他の例（固定機構が洗濯バサミ構造によるアームの付勢力）とイヤホン及びＴＶ装置との関係を示す側面図
【図６】本発明の第１の実施の形態におけるイヤホンアダプタのさらに他の例（固定機構がクランプ機構）とイヤホン及びＴＶ装置との関係を示す側面図
【図７Ａ】本発明の第２の実施の形態におけるイヤホンアダプタの一例とＴＶ装置との関係を示す側面図
【図７Ｂ】本発明の第２の実施の形態におけるイヤホンアダプタ本体をＴＶ装置に固定した状態を示す正面図
【図８Ａ】本発明の第３の実施の形態におけるイヤホンアダプタの一例とＴＶ装置との関係を示す側面図
【図８Ｂ】本発明の第３の実施の形態におけるイヤホンアダプタの固定機構のアームを省いた構成を示す正面図
【図９Ａ】本発明の第３の実施の形態におけるイヤホンアダプタの他の例とＴＶ装置との関係を示す側面図
【図９Ｂ】本発明の第３の実施の形態におけるイヤホンアダプタのさらに他の例とＴＶ装置との関係を示す側面図
【図１０】本発明の第４の実施の形態におけるイヤホンアダプタの一例とＴＶ装置との関係を示す側面図
【図１１】本発明の第４の実施の形態のイヤホンアダプタ本体が固定されるＴＶ装置の概略背面図
【図１２】本発明の第４の実施の形態におけるイヤホンアダプタの他の例を示す側面図
【図１３】本発明の第４の実施の形態におけるイヤホンアダプタのさらに他の例を示す側面図
【図１４】本発明の第５の実施の形態におけるイヤホンアダプタの一例とＴＶ装置との関係を示す側面図
【図１５】本発明の第６の実施の形態におけるイヤホンアダプタの一例とイヤホン及びＴＶ装置との関係を示す側面図
【図１６】本発明の第６の実施の形態におけるイヤホンアダプタ本体と固定機構との関係を示す図
【図１７】本発明の第６の実施の形態におけるイヤホンアダプタの他の例とＴＶ装置との関係を示す側面図
【手続補正３】
【補正対象書類名】図面
【補正対象項目名】全図
【補正方法】変更
【補正の内容】
【図１】
2006049092.tif 000022
【図２】
2006049092.tif 000023
【図３】
2006049092.tif 000024
【図４】
2006049092.tif 000025
【図５】
2006049092.tif 000026
【図６】
2006049092.tif 000027
【図７Ａ】
2006049092.tif 000028
【図７Ｂ】
2006049092.tif 000029
【図８Ａ】
2006049092.tif 000030
【図８Ｂ】
2006049092.tif 000031
【図９Ａ】
2006049092.tif 000032
【図９Ｂ】
2006049092.tif 000033
【図１０】
2006049092.tif 000034
【図１１】
2006049092.tif 000035
【図１２】
2006049092.tif 000036
【図１３】
2006049092.tif 000037
【図１４】
2006049092.tif 000038
【図１５】
2006049092.tif 000039
【図１６】
2006049092.tif 000040
【図１７】
2006049092.tif 000041
【国際調査報告】
2006049092.tif 000042
2006049092.tif 000043
2006049092.tif 000044
2006049092.tif 000045